(57)【特許請求の範囲】
【請求項１】
遊技の進行に応じて実行される演出を決定し、該演出を特定する遊技データを生成する演出決定手段と、
生成された前記遊技データを順次送信するデータ送信手段と、
送信された前記遊技データを受信するデータ受信手段と、
受信された前記遊技データに応じて演出を実行する演出実行手段と、
を備えた遊技機であって、
前記演出決定手段は、遊技の進行に応じて変化する遊技利益を示す情報である進行情報を決定し、該進行情報を含む遊技データである情報遊技データを生成し、
前記データ送信手段は前記情報遊技データを送信し、
受信した前記情報遊技データを保持可能な登録用記憶手段および描画用記憶手段と、
前記データ受信手段が前記情報遊技データを受信すると、該情報遊技データを前記登録用記憶手段に保持させ、該データ受信手段が、該情報遊技データが該登録用記憶手段に保持された後、表示手段に表示させる演出画像を示す遊技データである画像遊技データを受信すると、該情報遊技データを該登録用記憶手段から前記描画用記憶手段に複製する情報遊技データ処理手段と、
を備え、
前記演出実行手段は、前記画像遊技データに基づく演出画像の一部を、前記描画用記憶手段に保持された前記情報遊技データに含まれる進行情報に基づいて更新し、更新した演出画像を前記表示手段に表示させることを特徴とする遊技機。
【請求項２】
前記演出決定手段は、前記進行情報に基づいて前記演出画像の一部を更新するタイミングを示す更新情報を前記情報遊技データに関連付け、
前記情報遊技データ処理手段は、前記登録用記憶手段に保持された情報遊技データに関連付けられた更新情報が即座の更新を示していれば、該情報遊技データを該登録用記憶手段から前記描画用記憶手段に即座に複製し、該登録用記憶手段に保持された情報遊技データに関連付けられた更新情報が、任意の画像遊技データの受信タイミングを示していれば、該任意の画像遊技データが受信されたタイミングで、該情報遊技データを該登録用記憶手段から該描画用記憶手段に複製し、
前記演出実行手段は、前記データ受信手段が受信した情報遊技データに関連付けられた更新情報が即座の更新を示していれば、前記表示手段に表示されている演出画像の一部を、前記描画用記憶手段に保持された前記情報遊技データに含まれる進行情報に基づいて更新し、該データ受信手段が受信した情報遊技データに関連付けられた更新情報が前記任意の画像遊技データの受信タイミングを示していれば、該任意の画像遊技データに基づく演出画像の一部を、該描画用記憶手段に保持された該情報遊技データに含まれる進行情報に基づいて更新し、更新した演出画像を前記表示手段に表示させることを特徴とする請求項１に記載の遊技機。
【請求項３】
遊技の進行に応じて実行される演出を決定し、該演出を特定する遊技データを生成する演出決定手段と、
生成された前記遊技データを順次送信するデータ送信手段と、
送信された前記遊技データを受信するデータ受信手段と、
受信された前記遊技データに応じて演出を実行する演出実行手段と、
を備えた遊技機であって、
前記演出決定手段は、遊技の進行に応じて変化する遊技利益を示す情報である進行情報を決定し、該進行情報を含む遊技データである情報遊技データを生成し、該進行情報に基づいて表示手段に表示させる演出画像の一部を更新するタイミングを示す更新情報を関連付け、
前記データ送信手段は、前記更新情報が関連付けられた情報遊技データを送信し、
受信した前記情報遊技データを保持可能な登録用記憶手段および描画用記憶手段と、
前記データ受信手段が受信した情報遊技データに関連付けられた更新情報が即座の更新を示していれば、該情報遊技データを前記描画用記憶手段に保持させ、該データ受信手段が受信した情報遊技データに関連付けられた更新情報が、表示手段に表示させる演出画像を示す遊技データである任意の画像遊技データの受信タイミングを示していれば、該情報遊技データを前記登録用記憶手段に保持させ、該情報遊技データが該登録用記憶手段に保持された後の該任意の画像遊技データが受信されたタイミングで、該情報遊技データを該登録用記憶手段から該描画用記憶手段に複製する情報遊技データ処理手段を備え、
前記演出実行手段は、前記データ受信手段が受信した情報遊技データに関連付けられた更新情報が即座の更新を示していれば、前記表示手段に表示されている演出画像の一部を、前記描画用記憶手段に保持された前記情報遊技データに含まれる進行情報に基づいて更新し、該データ受信手段が受信した情報遊技データに関連付けられた更新情報が前記任意の画像遊技データの受信タイミングを示していれば、該任意の画像遊技データに基づく演出画像の一部を、該描画用記憶手段に保持された該情報遊技データに含まれる進行情報に基づいて更新し、更新した演出画像を前記表示手段に表示させることを特徴とする遊技機。
【発明の詳細な説明】
【技術分野】
【０００１】
本発明は、画像を伴う演出が実行される遊技機に関する。
【背景技術】
【０００２】
遊技機としてのスロットマシンでは、遊技者によるメダル（遊技媒体）の投入およびスタートスイッチの操作に応じて、当選役の抽選を行うとともに、種々の図柄が記された複数の回転リールが回転する。そして、その抽選結果と遊技者によるストップスイッチの操作に応じて回転リールが順次停止され、払い出しの対象となるラインである有効ライン上に、当選役に対応する図柄組み合わせが表示されると、所定枚数のメダルが払い出されるなど、当選役に応じた遊技上の利益（以下、単に遊技利益という）が遊技者に付与されることとなる。
【０００３】
こうしたスロットマシンにおいては、当選役の抽選結果やその時点の遊技状態を示唆したり、遊技にストーリー性を与える演出が実行される。例えば、遊技機における任意の基板（主制御基板）で当選役が決定されると、その内容を示すコマンドが、演出を実行する他の基板（副制御基板）に送信され、そのコマンドに基づいて演出が決定される。そして、決定された演出に基づき、多彩な表示態様の画像（演出画像）を液晶表示部に表示したり、かかる演出画像に対応する出力態様で種々の音声をスピーカから出力したりすることで、演出効果の向上が図られている。例えば、遊技の進行に並行させて液晶表示部に表示されたキャラクタを連続的に変動させる継続演出を行う場合、継続演出の最終的な表示態様を、当選役の抽選結果と何らかの関係があるような表示態様にすることで、遊技者は、当該継続演出を通じて当選役を把握することができる。
【０００４】
ただし、継続演出は動画で構成されていることが多いので、一旦、継続演出が開始されると、継続演出の最終的な表示態様が表示されるまで時間を要する場合がある。そこで、ベットボタンの操作等により次の遊技を開始することで（現在の遊技をキャンセルすることで）、強制的に継続演出を終了させることができるスロットマシンがある。また、このようなベットボタンを通じた遊技のキャンセル操作（以下、単にキャンセル操作という）が行われると、次の遊技の演出とともに引き続き継続演出を表示する技術（例えば、特許文献１）や、キャンセル操作に応じて所定の画像を表示して継続演出を終了する技術（例えば、特許文献２）も開示されている。
【先行技術文献】
【特許文献】
【０００５】
【特許文献１】特開２００６−  ６１４８０号公報
【特許文献２】特開２００６−１４９６５２号公報
【発明の概要】
【発明が解決しようとする課題】
【０００６】
ところで、スロットマシンでは、遊技の進行に際し、遊技者の有利度合いを異にする複数の遊技状態が設けられている。例えば、ストップスイッチの操作態様が、複数の操作態様のうちの所定の操作態様であること、すなわち、所定の操作順または所定の操作タイミングあるいはこれらの組み合わせであることが入賞条件として設定された当選役（以下、選択当選役という）に当選したときに、そのストップスイッチの操作順や操作タイミングが報知されることで（以下、この報知を補助演出という）、遊技者が、当該選択当選役に対応する図柄組み合わせを有効ライン上に容易に表示させることができる、所謂、ＡＴ（アシストタイム）遊技が実行されるＡＴ遊技状態を設けているスロットマシンもある。かかるＡＴ遊技では、ＡＴ遊技を継続可能な残り遊技数が管理されており、ＡＴ遊技中の所定の操作契機に、継続可能な残り遊技数を増やす、所謂、上乗せ抽選を行うスロットマシンもある。
【０００７】
このような上乗せ抽選では、抽選結果の決定タイミングと、その抽選結果の報知タイミングとを異ならせたい場合がある。例えば、スタートスイッチの操作に応じて上乗せ抽選が行われ、ＡＴ遊技の残り遊技数を加算する抽選結果が決定されたとしても、その抽選結果を即座に報知せず、ベットボタンを通じたキャンセル操作に応じて、その抽選結果を報知するといった場合である。ただし、演出を実行するために生成される遊技データのうち、抽選結果を報知する画像等の演出画像を示す画像遊技データと、抽選結果に応じて加算することとなった残り遊技数等を示す進行情報を含む情報遊技データとが独立して準備されている場合、時差のある両遊技データに応じて演出の実行タイミングも異なってしまう。
【０００８】
例えば、上乗せ抽選の抽選結果を報知する際、情報遊技データ、画像遊技データの順に遊技データを送信すると、抽選結果を報知する画像が表示される前に、増加後の残り遊技数が表示されることにより、遊技者に残り遊技数が予め把握されてしまい、抽選結果を報知する画像による演出効果が低減されてしまう。一方、画像遊技データ、情報遊技データの順に遊技データを送信すると、抽選結果を報知する画像に一旦増加前の残り遊技数が表示され、その後、増加前の残り遊技数が増加後の残り遊技数に変化するといった事象が生じ、残り遊技数の表示がちらつく等違和感が生じてしまう。このように、情報遊技データと画像遊技データとを同一のタイミングで送ることができない場合、遊技者に意図した演出効果を与えることができないことがある。
【０００９】
また、上乗せ抽選の抽選結果を報知するタイミングに達してはじめて情報遊技データを送信する構成では、既に抽選結果が出ているにも拘わらず、遊技データの受信側（液晶表示部側）において抽選結果の報知タイミングまで抽選結果を把握することができず、それまでの間、抽選結果に基づく演出を実行することができなかった。
【００１０】
本発明は、このような課題に鑑み、画像を伴う違和感のない演出によって演出効果を高めることが可能な遊技機を提供することを目的としている。
【課題を解決するための手段】
【００１１】
上記課題を解決するために、遊技の進行に応じて実行される演出を決定し、演出を特定する遊技データを生成する演出決定手段と、生成された遊技データを順次送信するデータ送信手段と、送信された遊技データを受信するデータ受信手段と、受信された遊技データに応じて演出を実行する演出実行手段と、を備えた本発明の遊技機は、演出決定手段は、遊技の進行に応じて変化する遊技利益を示す情報である進行情報を決定し、進行情報を含む遊技データである情報遊技データを生成し、データ送信手段は情報遊技データを送信し、受信した情報遊技データを保持可能な登録用記憶手段および描画用記憶手段と、データ受信手段が情報遊技データを受信すると、情報遊技データを登録用記憶手段に保持させ、データ受信手段が、情報遊技データが登録用記憶手段に保持された後、表示手段に表示させる演出画像を示す遊技データである画像遊技データを受信すると、情報遊技データを登録用記憶手段から描画用記憶手段に複製する情報遊技データ処理手段と、を備え、演出実行手段は、画像遊技データに基づく演出画像の一部を、描画用記憶手段に保持された情報遊技データに含まれる進行情報に基づいて更新し、更新した演出画像を表示手段に表示させることを特徴とする。
【００１２】
演出決定手段は、進行情報に基づいて演出画像の一部を更新するタイミングを示す更新情報を情報遊技データに関連付け、情報遊技データ処理手段は、登録用記憶手段に保持された情報遊技データに関連付けられた更新情報が即座の更新を示していれば、情報遊技データを登録用記憶手段から描画用記憶手段に即座に複製し、登録用記憶手段に保持された情報遊技データに関連付けられた更新情報が、任意の画像遊技データの受信タイミングを示していれば、任意の画像遊技データが受信されたタイミングで、情報遊技データを登録用記憶手段から描画用記憶手段に複製し、演出実行手段は、データ受信手段が受信した情報遊技データに関連付けられた更新情報が即座の更新を示していれば、表示手段に表示されている演出画像の一部を、描画用記憶手段に保持された情報遊技データに含まれる進行情報に基づいて更新し、データ受信手段が受信した情報遊技データに関連付けられた更新情報が任意の画像遊技データの受信タイミングを示していれば、任意の画像遊技データに基づく演出画像の一部を、描画用記憶手段に保持された情報遊技データに含まれる進行情報に基づいて更新し、更新した演出画像を表示手段に表示させてもよい。
【００１３】
上記課題を解決するために、遊技の進行に応じて実行される演出を決定し、演出を特定する遊技データを生成する演出決定手段と、生成された遊技データを順次送信するデータ送信手段と、送信された遊技データを受信するデータ受信手段と、受信された遊技データに応じて演出を実行する演出実行手段と、を備えた本発明の遊技機は、演出決定手段は、遊技の進行に応じて変化する遊技利益を示す情報である進行情報を決定し、進行情報を含む遊技データである情報遊技データを生成し、進行情報に基づいて表示手段に表示させる演出画像の一部を更新するタイミングを示す更新情報を関連付け、データ送信手段は、更新情報が関連付けられた情報遊技データを送信し、受信した情報遊技データを保持可能な登録用記憶手段および描画用記憶手段と、データ受信手段が受信した情報遊技データに関連付けられた更新情報が即座の更新を示していれば、情報遊技データを描画用記憶手段に保持させ、データ受信手段が受信した情報遊技データに関連付けられた更新情報が、表示手段に表示させる演出画像を示す遊技データである任意の画像遊技データの受信タイミングを示していれば、情報遊技データを登録用記憶手段に保持させ、情報遊技データが登録用記憶手段に保持された後の任意の画像遊技データが受信されたタイミングで、情報遊技データを登録用記憶手段から描画用記憶手段に複製する情報遊技データ処理手段を備え、演出実行手段は、データ受信手段が受信した情報遊技データに関連付けられた更新情報が即座の更新を示していれば、表示手段に表示されている演出画像の一部を、描画用記憶手段に保持された情報遊技データに含まれる進行情報に基づいて更新し、データ受信手段が受信した情報遊技データに関連付けられた更新情報が任意の画像遊技データの受信タイミングを示していれば、任意の画像遊技データに基づく演出画像の一部を、描画用記憶手段に保持された情報遊技データに含まれる進行情報に基づいて更新し、更新した演出画像を表示手段に表示させることを特徴とする。
【発明の効果】
【００１４】
本発明によれば、画像を伴う違和感のない演出によって演出効果を高めることが可能となる。
【図面の簡単な説明】
【００１５】
【図１】スロットマシンの概略的な機械的構成を説明するための外観図である。
【図２】スロットマシンの概略的な機械的構成を説明するための前面扉を開いた状態での外観図である。
【図３】リールの図柄配列を示す図である。
【図４】スロットマシンの概略的な電気的構成を示したブロック図である。
【図５】有効ラインおよび仮想ラインを説明するための説明図である。
【図６】当選役を説明するための説明図である。
【図７】当選役を説明するための説明図である。
【図８】遊技状態の状態遷移を説明するための説明図である。
【図９】ボーナス成立遊技状態用当選役抽選テーブルを示す図である。
【図１０】ボーナス非成立遊技状態用当選役抽選テーブルを示す図である。
【図１１】遊技状態の状態遷移を説明するための説明図である。
【図１２】演出抽選テーブルを説明する図である。
【図１３】抽選結果の決定タイミングと、その抽選結果の報知タイミングとが異なる場合の問題点を説明する説明図である。
【図１４】遊技データの送信態様を説明するための説明図である。
【図１５】主制御基板のメイン処理を示したフローチャートである。
【図１６】副制御基板のメイン処理を示したフローチャートである。
【図１７】コマンド受信処理を示したフローチャートである。
【図１８】更新情報関連付け処理を示したフローチャートである。
【図１９】演出実行処理を示したフローチャートである。
【発明を実施するための形態】
【００１６】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１７】
本発明の実施形態の理解を容易にするため、まず、遊技者が遊技可能なスロットマシン（遊技機）の機械的構成および電気的構成を簡単に説明し、その後、スロットマシンの各基板における具体的な処理を説明する。
【００１８】
（スロットマシン１００の機械的構成）
図１や図２の外観図に示すように、スロットマシン１００は、略矩形状の箱体である筐体１０２と、筐体１０２の前面開口部に対して回動可能な連結部材により開閉可能に取り付けられた前面上扉１０４と、前面上扉１０４の下方に位置し、前面上扉１０４同様、筐体１０２の前面開口部に対して開閉可能に取り付けられた前面下扉１０６と、前面下扉１０６の下部に位置し、メダル排出口１０８ａから払い出されたメダルを貯留するための受け皿部１０８とを備えている。
【００１９】
前面下扉１０６の上部には操作部設置台１２２が形成され、操作部設置台１２２には、メダル投入部１２４、ベットボタン１２６、スタートスイッチ１２８、ストップスイッチ１３０、精算ボタン１３２等が配設されている。
【００２０】
操作部設置台１２２の右側に位置するメダル投入部１２４は、メダル投入口１２４ａを通じて遊技媒体としてのメダルの投入を受け付け、前面下扉１０６の背面に設けられたメダルセレクタ（図示せず）にメダルを送る。メダルセレクタには、メダルの投入が可能な投入期間外に投入されたメダルや規格外のメダルをメダル排出口１０８ａに導くブロッカー（図示せず）と、投入期間内に投入された規格内のメダルの通過を検出する投入メダル検出部１２４ｂとが設けられている。ここで、メダル排出口１０８ａに導かれたメダルは受け皿部１０８に排出される。遊技者により、１遊技を開始するために必要なメダルの投入枚数である規定投入数を超えてメダルが投入されると、その規定投入数を超えた分のメダルが、所定枚数（例えば５０枚）を上限としてスロットマシン１００の内部に電子的に貯留（以下、単にクレジットという）される。
【００２１】
ここで、１遊技は、メダルの投入を条件として１度の払い出しを受け得る一連の遊技をいう。また、ここでは、規定投入数は「３」に固定されている。ただし、スロットマシン１００の機種によっては規定投入数が異なったり、あるいは、同一機種であっても規定投入数が変化したりして、規定投入数が固定されている場合と、複数の中から選択可能な場合がある。なお、１遊技を開始するために必要なメダル数を、複数の規定投入数から任意に選択できる場合、その複数の規定投入数の中の最大のものを最大規定投入数といい、最小のものを最小規定投入数という。仮に、規定投入数が１〜３の間で選択可能な場合、最大規定投入数は「３」となり、最小規定投入数は「１」となる。ここでは、規定投入数が「３」に固定されているので、最大規定投入数および最小規定投入数は「３」となる。
【００２２】
ベットボタン１２６は、クレジットされているメダルのうち規定投入数のメダルを投入（ベット）する、押圧式のボタンスイッチである。精算ボタン１３２は、クレジットされているメダルの返却（精算）要求操作を受け付ける、押圧式のボタンスイッチである。遊技者は、精算ボタン１３２を操作することにより、ベットされたメダルや電子的にクレジットされたメダルを精算する精算要求を行うことができ、かかる精算要求に応じて、ベットされているメダルや電子的にクレジットされているメダルがメダル排出口１０８ａから排出される。
【００２３】
操作部設置台１２２の左側に位置するスタートスイッチ１２８は、傾倒操作を検出可能なレバーで形成され、遊技者による１遊技の開始操作を検出する。また、スタートスイッチ１２８は、押圧操作を検出可能なボタンスイッチによって形成することも可能である。
【００２４】
前面上扉１０４の下部略中央には、ガラス板や透明樹脂板等で構成された無色透明の図柄表示窓１３６が設けられ、筐体１０２内の図柄表示窓１３６に対応した位置には、リールユニット１３４が設けられている。リールユニット１３４には、図３のリールの図柄配列に示すように、２１に等分された各領域に複数種類の図柄がそれぞれ配列された３つの回転リール（左リール１３４ａ、中リール１３４ｂ、右リール１３４ｃ）が、それぞれ独立して回動可能に設けられ、遊技者は、図柄表示窓１３６を通じて、左リール１３４ａ、中リール１３４ｂ、右リール１３４ｃを視認することができる。リールユニット１３４は、スタートスイッチ１２８の操作を契機として、左リール１３４ａ、中リール１３４ｂ、右リール１３４ｃの回転を開始する。
【００２５】
操作部設置台１２２の中央に位置するストップスイッチ１３０は、左リール１３４ａ、中リール１３４ｂ、右リール１３４ｃそれぞれに対応して設けられた、遊技者の押圧操作を検出可能なボタンスイッチであり、左リール１３４ａ、中リール１３４ｂ、右リール１３４ｃそれぞれを停止させようとする遊技者の停止操作を検出する。なお、ストップスイッチ１３０に係る３つのボタンスイッチを特にストップボタンスイッチとよび、左から順にストップボタンスイッチ１３０ａ、ストップボタンスイッチ１３０ｂ、ストップボタンスイッチ１３０ｃとする。
【００２６】
前面上扉１０４の上部略中央には、演出に伴う様々な映像を表示する液晶表示部（表示手段）１３８が設けられている。また、前面上扉１０４の上部や左右には、例えば高輝度の発光ダイオード（ＬＥＤ）によって構成される演出用ランプ１４２が設けられる。
【００２７】
また、図２に示すように、前面上扉１０４の裏面における液晶表示部１３８の左右位置や前面下扉１０６の裏面における内面左右位置には、効果音や楽音等による聴覚的な演出を行うスピーカ１４０が設けられている。さらに、筐体１０２内におけるリールユニット１３４の下方には、メダル排出口１０８ａからメダルを払い出すためのメダル払出装置（メダルホッパー）２６４が設けられている。メダル払出装置２６４は、メダルを貯留するメダル貯留部２６４ａと、メダル貯留部２６４ａに貯留されたメダルをメダル排出口１０８ａから排出するための払出制御部２６４ｂと、メダル排出口１０８ａから排出されるメダルを検出する払出メダル検出部２６４ｃとを備えている。具体的に払出制御部２６４ｂは、当該払出制御部２６４ｂの本体外装に回転可能に支持され、メダル貯留部２６４ａから落下したメダルが上方より１枚ずつ嵌入するメダル嵌入孔を円周方向に複数配してなるディスク（図示せず）と、かかるディスクを回転するディスクモータ（図示せず）とを備え、このディスクを回転させて、メダル嵌入孔に嵌入したメダルを、押出機構を通じて１枚ずつ外部に排出するとともに、排出により空いたメダル嵌入孔に次のメダルを順次嵌入させることで、メダルを１枚ずつ連続排出する。
【００２８】
また、図１や図２では図示していないが、各回転リール１３４ａ、１３４ｂ、１３４ｃの内側には、左リール１３４ａ、中リール１３４ｂ、右リール１３４ｃそれぞれに施された図柄のうち、図柄表示窓１３６に対応する（有効ラインの対象となり得る）各回転リール１３４ａ、１３４ｂ、１３４ｃの上段、中段、下段の図柄を背面から個々に独立して照射するリールバックライト１４４（図４参照）が設けられている。また、図柄表示窓１３６の裏面上部にも左リール１３４ａ、中リール１３４ｂ、右リール１３４ｃ全ての正面を直接照射するリール上方ライト１４６が設けられている。
【００２９】
また、図１に示すように、操作部設置台１２２において、図柄表示窓１３６とストップスイッチ１３０との間に設けられた段部１２２ａの略水平面には、メインクレジット表示部１５２およびメイン払出表示部１５４が設けられている。また、図柄表示窓１３６と操作部設置台１２２との間には、サブクレジット表示部（表示手段）１５６およびサブ払出表示部（表示手段）１５８が設けられている。これらメインクレジット表示部１５２およびサブクレジット表示部１５６にはクレジット枚数が表示され、メイン払出表示部１５４およびサブ払出表示部１５８にはメダルの払出枚数が表示される。なお、サブクレジット表示部１５６およびサブ払出表示部１５８には、演出に伴う様々な数値を表示することもできる。
【００３０】
（スロットマシン１００の電気的構成）
図４は、スロットマシン１００の概略的な電気的構成を示したブロック図である。図４に示すように、スロットマシン１００は、主として、主制御基板２００と、副制御基板２０２とによって制御されている。ここでは、遊技の進行に関わるプログラムのうち、遊技に供する当選役の抽選やその入賞といったような、特に重要な処理を主制御基板２００で実行し、それ以外の例えば演出に関する処理を副制御基板２０２で実行している。また、図４に示したように、主制御基板２００と副制御基板２０２との通信は、不正防止等の観点から、主制御基板２００から副制御基板２０２への一方向のみに制限される。ただし、このような制限がなければ、電気的に双方向通信も可能である。
【００３１】
（主制御基板２００）
主制御基板２００は、中央処理装置であるメインＣＰＵ２００ａ、プログラム等が格納されたメインＲＯＭ２００ｂ、ワークエリアとして機能するメインＲＡＭ２００ｃ等を含む各種半導体集積回路を有し、スロットマシン１００全体を統括的に制御する。ただし、メインＲＡＭ２００ｃには不図示のバックアップ電源が接続されており、電源が切断された場合においても、意図的にメインＲＡＭ２００ｃの初期化処理を実行しない限り、データが消去されることなく保持される。
【００３２】
また、主制御基板２００は、メインＣＰＵ２００ａが、メインＲＯＭ２００ｂに格納されたプログラムに基づきメインＲＡＭ２００ｃと協働することで機能する、初期化手段３００、ベット手段３０２、当選役抽選手段３０４、リール制御手段３０６、判定手段３０８、払出制御手段３１０、コマンド決定手段３１２、コマンド送信手段３１４等の機能部を有する。初期化手段３００は、主制御基板２００における初期化処理を実行する。ベット手段３０２は、遊技に使用するためのメダルをベットする。ここで、ベットは、ベットボタン１２６の操作を通じてクレジットされているメダルを投入する場合と、メダル投入部１２４を通じてメダルを投入する場合のいずれも含む。当選役抽選手段３０４は、メダルのベットおよびスタートスイッチ１２８の操作に基づき、小役、リプレイ役、および、ボーナス役を含む複数種類の当選役およびハズレのうちいずれかを抽選により決定する（当選役抽選）。リール制御手段３０６は、各回転リール１３４ａ、１３４ｂ、１３４ｃを回転および停止制御する。判定手段３０８は、当選役抽選で決定された当選役に対応する図柄組み合わせが有効ライン上に表示されたか否か判定する。以下、当選役抽選で決定された当選役に対応する図柄組み合わせが有効ライン上に表示されることを単に入賞という場合がある。払出制御手段３１０は、当選役抽選で決定された当選役に対応する図柄組み合わせが有効ライン上に表示されたこと（入賞されたこと）に基づいて、当該当選役に対応する数だけメダルを払い出す。コマンド決定手段３１２は、ベット手段３０２、当選役抽選手段３０４、リール制御手段３０６、判定手段３０８、払出制御手段３１０等の動作に伴う、遊技に関するコマンドを順次決定する。コマンド送信手段３１４は、コマンド決定手段３１２が決定したコマンドを副制御基板２０２に順次送信する。
【００３３】
主制御基板２００では、投入メダル検出部１２４ｂ、ベットボタン１２６、スタートスイッチ１２８、ストップスイッチ１３０および精算ボタン１３２から各種の検出信号を受信しており、受信した検出信号に基づいて、メインＣＰＵ２００ａが種々の処理を実行する。また、主制御基板２００には、メインクレジット表示部１５２およびメイン払出表示部１５４が接続されており、メインＣＰＵ２００ａが両表示部１５２、１５４に対してメダルのクレジット枚数や払出枚数の表示を制御する。
【００３４】
また、主制御基板２００には、リール駆動制御部２５８が接続されている。このリール駆動制御部２５８は、スタートスイッチ１２８の操作信号に基づき主制御基板２００から送信される各回転リール１３４ａ、１３４ｂ、１３４ｃの回転開始信号に基づいて、ステッピングモータ２６２を駆動するとともに、ストップスイッチ１３０の操作信号に基づき主制御基板２００から送信される、左リール１３４ａ、中リール１３４ｂ、右リール１３４ｃそれぞれの停止信号および回転位置検出回路２６０の検出信号に基づいて、ステッピングモータ２６２の駆動を停止する。
【００３５】
また、主制御基板２００には、メダル払出装置２６４が接続されている。主制御基板２００には払出メダル検出部２６４ｃの検出信号が入力されるようになっており、払出制御手段３１０は、その検出信号に応じてメダルの払出枚数をカウントしながら払出制御部２６４ｂからのメダルの排出を制御する。
【００３６】
また、主制御基板２００には、乱数発生手段２００ｄが設けられる。乱数発生手段２００ｄは、計数値を順次インクリメントし、所定の数値範囲内でループさせ、所定の時点における計数値を抽出することで乱数を得る。主制御基板２００の乱数発生手段２００ｄによって生成される乱数（以下、当選役抽選乱数という）は、遊技者に付与する遊技上の利益、例えば、当選役を決定するために用いられる。
【００３７】
（主制御基板２００で用いられるテーブル）
スロットマシン１００においては、出玉率の異なる設定値が複数設けられ、また、遊技の進行に際して複数の遊技状態が設けられており、これら各設定値における各遊技状態に対応する複数の当選役抽選テーブル等がメインＲＯＭ２００ｂに格納されている。当選役抽選手段３０４は、メインＲＡＭ２００ｃに記憶された現在の設定値と遊技状態に応じて、対応する当選役抽選テーブルをメインＲＯＭ２００ｂから抽出し、抽出した当選役抽選テーブルに基づき、スタートスイッチ１２８の操作信号に応じて取得された当選役抽選乱数が当選役抽選テーブル内のいずれの当選役またはハズレに対応するか判定する。
【００３８】
ここで、当選役抽選テーブルで抽出される当選役には、リプレイ役、小役、ボーナス役がある。このような当選役に対応する図柄組み合わせが、有効ライン上に揃った状態を表示（入賞）といい、当選役に当選し、その当選役に対応する図柄組み合わせが表示されるまでの状態を内部当選状態とする。当選役のうちのリプレイ役は、そのリプレイ役に対応する図柄組み合わせが有効ライン上に表示されると、遊技者によるメダルの新たなるベットを行わずして再度１遊技を実行できる役であり、小役は、その小役に対応する図柄組み合わせが有効ライン上に表示されることにより、図柄組み合わせに応じて所定枚数のメダルの払い出しを受けることができる役である。また、ボーナス役は、そのボーナス役に対応する図柄組み合わせが有効ライン上に表示されることにより、遊技状態をボーナス遊技状態に移行させることができる当選役である。以下に、当選役および遊技者に付与される遊技利益について説明する。
【００３９】
図５は、有効ラインおよび仮想ラインを説明するための説明図であり、図６および図７は、当選役を説明するための説明図であり、図８は、遊技状態の状態遷移を説明するための説明図である。
【００４０】
図５（ａ）は、本実施形態における有効ラインを示している。本実施形態において、有効ラインは１本であり、具体的に、図柄表示窓１３６に臨む９つの図柄（３リール×上中下の３段）のうち、左リール１３４ａ、中リール１３４ｂ、右リール１３４ｃのそれぞれ中段に停止する図柄に対応する位置を結んだラインを有効ラインＡとして設定している。また、図５（ｂ）は、仮想ラインを示している。仮想ラインは、有効ラインＡ上に表示された図柄組み合わせのみでは当選役を把握しにくい場合に、当選役の把握を容易にする他の図柄組み合わせを表示するラインであり、本実施形態では、４つの仮想ラインを想定している。具体的に、左リール１３４ａの上段、中リール１３４ｂの上段、右リール１３４ｃの上段に停止する図柄に対応する位置を結んだラインを仮想ラインＢ１、左リール１３４ａの下段、中リール１３４ｂの下段、右リール１３４ｃの下段に停止する図柄に対応する位置を結んだラインを仮想ラインＢ２、左リール１３４ａの上段、中リール１３４ｂの中段、右リール１３４ｃの下段に停止する図柄に対応する位置を結んだラインを仮想ラインＣ１、左リール１３４ａの下段、中リール１３４ｂの中段、右リール１３４ｃの上段に停止する図柄に対応する位置を結んだラインを仮想ラインＣ２として設定している。ただし、仮想ラインＢ１、Ｂ２、Ｃ１、Ｃ２は、見かけ上、図柄が一直線に表示されるというだけで、あくまで当選役を判定するのは有効ラインＡのみである。
【００４１】
また、図６に示すように、本実施形態においては、当選役として、「通常リプレイ」、「チェリー」、「通常ベル」、「共通ベル」、「特殊ベル１」、「特殊ベル２」、「特殊ベル３」、「特殊ベル４」、「特殊ベル５」、「特殊ベル６」、「特殊ベル７」、「特殊ベル８」（以下、「通常ベル」、「共通ベル」、「特殊ベル１」、「特殊ベル２」、「特殊ベル３」、「特殊ベル４」、「特殊ベル５」、「特殊ベル６」、「特殊ベル７」、「特殊ベル８」を単に当選役「ベル」と略す場合がある）、「ビッグボーナス（以下、「ＢＢ」という）」が設けられている。このうち、当選役「通常リプレイ」が上記リプレイ役に相当し、当選役「チェリー」、「通常ベル」、「共通ベル」、「特殊ベル１」、「特殊ベル２」、「特殊ベル３」、「特殊ベル４」、「特殊ベル５」、「特殊ベル６」、「特殊ベル７」、「特殊ベル８」が上記小役に相当し、当選役「ＢＢ」が上記ボーナス役に相当する。
【００４２】
図６を参照して理解できるように、各当選役では、各回転リール１３４ａ、１３４ｂ、１３４ｃに対して、その当選役に対応する図柄組み合わせが定められており、かかる図柄組み合わせが有効ラインＡ上に表示されてはじめて当選役が入賞したこととなる。なお、１の当選役における１の回転リールに複数の図柄が定められている場合、例えば、当選役「チェリー」の中リール１３４ｂのように「スイカＡ」図柄、「スイカＢ」図柄、「チェリー」図柄、「ハズレＡ」図柄といった複数の図柄が定められている場合は、そのうちのいずれかが有効ラインＡ上に表示されると当選役が入賞したこととなる。また、当選役の任意の回転リールに「ＡＮＹ」が定められている場合は、回転リール中のいずれの図柄が有効ラインＡ上に表示されたとしても当選役が入賞したこととなる。
【００４３】
本実施形態においては、遊技者によってストップスイッチ１３０が押圧操作されたときに、当選役に対応する図柄組み合わせを構成する図柄が有効ラインＡ上にある場合には、当該図柄が有効ラインＡ上に停止するように停止制御がなされる。また、ストップスイッチ１３０が押圧操作されたときに、当選役に対応する図柄組み合わせを構成する図柄が、有効ラインＡ上にはないが、各回転リール１３４ａ、１３４ｂ、１３４ｃの回転方向と反対の方向の図柄４つ分に相当する範囲（引込範囲）内に存在している場合には、当該当選役に対応する図柄組み合わせを構成する図柄を有効ラインＡ上に引き込むように停止制御がなされる。以下、単に「停止制御」や「表示可能」と言った場合、このような引込範囲内で当選役に対応する図柄組み合わせを構成する図柄を引き込むといった処理を含む。なお、ストップスイッチ１３０が押圧操作されたときに、当選役に対応する図柄組み合わせを構成する図柄以外の図柄が有効ラインＡ上にある場合には、その図柄を有効ラインＡ上に停止させないようにする、所謂蹴飛ばし処理も並行して実行される。
【００４４】
（リプレイ役）
当選役抽選の結果、当選役「通常リプレイ」に当選した場合には、その当選役「通常リプレイ」に対応する図柄組み合わせのうち、図６に示した、各回転リール１３４ａ、１３４ｂ、１３４ｃそれぞれに記される「リプレイ」図柄が、図７（ａ）のように有効ラインＡ上に表示可能となる。
【００４５】
そして、当選役「通常リプレイ」に対応する図柄組み合わせを構成する「リプレイ」図柄同士は、各回転リール１３４ａ、１３４ｂ、１３４ｃ内で最大図柄４つ分しか離隔していないので、上記の停止制御によって、必ず有効ラインＡ上に表示可能なように配置されている（図３および図６参照）。したがって、当選役「通常リプレイ」に当選した場合には、これら当選役「通常リプレイ」に対応する図柄組み合わせが、必ず、有効ラインＡ上に表示されることとなる。このようにして、当選役「通常リプレイ」に対応する図柄組み合わせが有効ラインＡ上に表示された場合には、メダルを投入することなく次回の１遊技を開始することが可能となる。
【００４６】
（小役）
また、当選役抽選の結果、当選役「チェリー」に当選した場合には、図６に示した、当選役「チェリー」に対応する図柄組み合わせのうち、例えば、図７（ｂ）のように、左リール１３４ａに記される「青７」図柄が有効ラインＡ上に表示可能となり、中リール１３４ｂに記される「チェリー」図柄が有効ラインＡ上に表示可能となる。また、右リール１３４ｃについてはいずれの図柄が有効ラインＡ上に表示されてもよい。図７（ｂ）の例では、有効ラインＡ上に停止した図柄組み合わせが「青７」、「チェリー」、「リプレイ」となっているが、仮想ラインＣ２上に停止した図柄組み合わせは「チェリー」、「チェリー」、「ＢＡＲ」となり、遊技者は、当選役「チェリー」に当選したことを容易に把握できる。ただし、各回転リール１３４ａ、１３４ｂ、１３４ｃにおいては、当選役「チェリー」に対応する図柄組み合わせを構成する図柄が、上記の停止制御によっても、有効ラインＡ上に表示されない場合があるように配置されている。そのため、当選役「チェリー」に当選したとしても、所謂取りこぼしが生じることがあり、遊技者は、当選役「チェリー」に対応する図柄組み合わせを必ずしも有効ラインＡ上に表示させられるとは限らない。
【００４７】
当選役抽選の結果、当選役「ベル」（「通常ベル」、「共通ベル」、「特殊ベル１」、「特殊ベル２」、「特殊ベル３」、「特殊ベル４」、「特殊ベル５」、「特殊ベル６」、「特殊ベル７」、「特殊ベル８」のいずれか）に当選した場合には、その当選役に対応する１または複数の図柄組み合わせのうち、各回転リール１３４ａ、１３４ｂ、１３４ｃそれぞれに記される図柄が有効ラインＡ上に表示可能となり、当選役「ベル」に対応する図柄組み合わせが有効ラインＡ上に表示された場合には、各当選役に対応した枚数のメダルが遊技者に払い出される。例えば、当選役抽選の結果、当選役「通常ベル」に当選し、特定の条件（後述する当選役「通常ベル」に対応付けられた操作順での操作）を満たした場合には、当選役「通常ベル」に対応する図柄組み合わせのうち、図６に示した、各回転リール１３４ａ、１３４ｂ、１３４ｃそれぞれに記される「ベル」図柄が、図７（ｃ）のように有効ラインＡ上に表示可能となる。また、当選役抽選の結果、当選役「共通ベル」に当選した場合には、図６に示した、当選役「共通ベル」に対応する図柄組み合わせのうち、例えば、図７（ｄ）のように、左リール１３４ａに記される「赤７」図柄が有効ラインＡ上に表示可能となり、中リール１３４ｂに記される「リプレイ」図柄が有効ラインＡ上に表示可能となり、右リール１３４ｃに記される「スイカＡ」図柄が有効ラインＡ上に表示可能となる。図７（ｄ）の例では、有効ラインＡ上に停止した図柄組み合わせが「赤７」、「リプレイ」、「スイカＡ」となっているが、仮想ラインＢ１上に停止した図柄組み合わせは「ベル」、「ベル」、「ベル」となり、遊技者は、当選役「共通ベル」に当選したことを容易に把握できる。ここで、当選役「通常ベル」および当選役「共通ベル」に対応する図柄組み合わせを構成する１または複数の図柄同士は、各回転リール１３４ａ、１３４ｂ、１３４ｃ内で最大図柄４つ分しか離隔していないので、上記の停止制御によって、必ず有効ラインＡ上に表示可能なように配置されている（図３および図６参照）。ただし、当選役「通常ベル」は、当選役「共通ベル」より、払出枚数が多くなるように設定されている（例えば、当選役「通常ベル」＝９枚、当選役「共通ベル」＝１枚）。
【００４８】
また、当選役「特殊ベル１」または「特殊ベル２」に当選し、特定の条件（当選役「特殊ベル１」または「特殊ベル２」に対応付けられた操作順での操作）を満たした場合には、図６に示した、当選役「特殊ベル１」または「特殊ベル２」に対応する複数の図柄組み合わせのうち、例えば、当選役「特殊ベル１」に対応する図柄組み合わせを例に挙げると、図７（ｅ）のように、左リール１３４ａに記される「スイカＡ」図柄が有効ラインＡ上に表示可能となり、中リール１３４ｂに記される「ベル」図柄が有効ラインＡ上に表示可能となり、右リール１３４ｃに記される「リプレイ」図柄が有効ラインＡ上に表示可能となる。また、当選役「特殊ベル３」〜「特殊ベル８」に当選した場合には、図６に示した、当選役「特殊ベル３」〜「特殊ベル８」に対応する複数の図柄組み合わせのうち、例えば、当選役「特殊ベル３」に対応する図柄組み合わせを例に挙げると、図７（ｆ）のように、左リール１３４ａに記される「赤７」図柄が有効ラインＡ上に表示可能となり、中リール１３４ｂに記される「青７」図柄が有効ラインＡ上に表示可能となり、右リール１３４ｃに記される「スイカＡ」図柄が有効ラインＡ上に表示可能となる。
【００４９】
ところで、上述したように、各回転リール１３４ａ、１３４ｂ、１３４ｃにおいては、当選役「通常ベル」に対応する図柄組み合わせを構成する図柄が、上記の停止制御によって、必ず有効ラインＡ上に表示可能なように配置されている（図３および図６参照）。したがって、当選役「通常ベル」に当選し、特定の条件（当選役「通常ベル」に対応付けられた操作順での操作）を満たした場合には、当選役「通常ベル」に対応する図柄組み合わせが、必ず、有効ラインＡ上に表示されることとなる。また、各回転リール１３４ａ、１３４ｂ、１３４ｃにおいては、当選役「特殊ベル１」または「特殊ベル２」に対応する複数の図柄組み合わせを構成する１または複数の図柄が、上記の停止制御によって、必ず有効ラインＡ上に表示可能なように配置されている。したがって、当選役「特殊ベル１」または「特殊ベル２」に当選し、特定の条件（当選役「特殊ベル１」または「特殊ベル２」に対応付けられた操作順での操作）を満たした場合には、当選役「特殊ベル１」または「特殊ベル２」に対応するいずれかの図柄組み合わせが、必ず、有効ラインＡ上に表示されることとなる。ただし、当選役「特殊ベル１」および当選役「特殊ベル２」は、当選役「通常ベル」より、払出枚数が少なく設定されている（例えば、当選役「通常ベル」＝９枚、当選役「特殊ベル１」、「特殊ベル２」＝１枚）。
【００５０】
また、当選役「特殊ベル３」〜「特殊ベル８」に対応する複数の図柄組み合わせのうち、「特殊ベル３」に対応する図柄組み合わせの場合、図６に示すように、かかる図柄組み合わせを構成する左リール１３４ａの図柄は「赤７」または「リプレイ」であり、中リール１３４ｂの図柄は、「青７」または「ＢＡＲ」であり、右リール１３４ｃの図柄は「スイカＡ」である。ここで、左リール１３４ａについては、上記の停止制御により、「赤７」または「リプレイ」図柄が必ず有効ラインＡ上に表示可能なように配置されている。また、中リール１３４ｂについては、図３における２１図柄のうち図柄番号１から８までの間といった図柄８つ分に相当する範囲で停止制御が実行されれば「青７」または「ＢＡＲ」図柄を有効ラインＡ上に表示させることができる。また、右リール１３４ｃについては、図３における２１図柄のうち図柄番号７から１４までの間といった図柄８つ分に相当する範囲で停止制御が実行されれば「スイカＡ」図柄を有効ラインＡ上に表示させることができる。したがって、上記の当選役「特殊ベル３」に当選し、特定の条件（当選役「特殊ベル３」に対応付けられた操作順での操作）を満たした場合において、ストップスイッチ１３０を無作為なタイミングで操作し、当選役「特殊ベル３」に対応するいずれかの図柄組み合わせを有効ラインＡ上に表示させることができる確率は、約１／６．９（２１／２１×８／２１×８／２１）となり、遊技者は、当選役「特殊ベル３」に対応する図柄組み合わせを必ずしも有効ラインＡ上に表示させられるとは限らない。また、当選役「特殊ベル４」に対応する図柄組み合わせの場合、かかる図柄組み合わせを構成する左リール１３４ａの図柄は「赤７」または「リプレイ」であり、中リール１３４ｂの図柄は、「青７」または「ＢＡＲ」であり、右リール１３４ｃの図柄は「スイカＢ」である。ここで、左リール１３４ａについては、上記の停止制御により、「赤７」または「リプレイ」図柄が必ず有効ラインＡ上に表示可能なように配置されている。また、中リール１３４ｂについては、図３における２１図柄のうち図柄番号１から８までの間といった図柄８つ分に相当する範囲で停止制御が実行されれば「青７」または「ＢＡＲ」図柄を有効ラインＡ上に表示させることができる。また、右リール１３４ｃについては、図３における２１図柄のうち図柄番号２０、２１および１から６までの間といった図柄８つ分に相当する範囲で停止制御が実行されれば「スイカＢ」図柄を有効ラインＡ上に表示させることができる。したがって、当選役「特殊ベル４」に当選し、特定の条件（当選役「特殊ベル４」に対応付けられた操作順での操作）を満たした場合において、ストップスイッチ１３０を無作為なタイミングで操作し、当選役「特殊ベル４」に対応するいずれかの図柄組み合わせを有効ラインＡ上に表示させることができる確率は、約１／６．９（２１／２１×８／２１×８／２１）となる。また、当選役「特殊ベル５」に対応する図柄組み合わせの場合、かかる図柄組み合わせを構成する左リール１３４ａの図柄は「赤７」または「リプレイ」であり、中リール１３４ｂの図柄は、「青７」または「ＢＡＲ」であり、右リール１３４ｃの図柄は「ハズレＡ」で���る。ここで、左リール１３４ａについては、上記の停止制御により、「赤７」または「リプレイ」図柄が必ず有効ラインＡ上に表示可能なように配置されている。また、中リール１３４ｂについては、図３における２１図柄のうち図柄番号１から８までの間といった図柄８つ分に相当する範囲で停止制御が実行されれば「青７」または「ＢＡＲ」図柄を有効ラインＡ上に表示させることができる。また、右リール１３４ｃについては、図３における２１図柄のうち図柄番号１５から１９までの間といった図柄５つ分に相当する範囲で停止制御が実行されれば「ハズレＡ」図柄を有効ラインＡ上に表示させることができる。したがって、当選役「特殊ベル５」に当選し、特定の条件（当選役「特殊ベル５」に対応付けられた操作順での操作）を満たした場合において、ストップスイッチ１３０を無作為なタイミングで操作し、当選役「特殊ベル５」に対応するいずれかの図柄組み合わせを有効ラインＡ上に表示させることができる確率は、約１／１１．０（２１／２１×８／２１×５／２１）となる。
【００５１】
また、当選役「特殊ベル６」に対応する図柄組み合わせの場合、かかる図柄組み合わせを構成する左リール１３４ａの図柄は「赤７」または「リプレイ」であり、中リール１３４ｂの図柄は、「スイカＡ」または「チェリー」であり、右リール１３４ｃの図柄は「スイカＡ」である。ここで、左リール１３４ａについては、上記の停止制御により、「赤７」または「リプレイ」図柄が必ず有効ラインＡ上に表示可能なように配置されている。また、中リール１３４ｂについては、図３における２１図柄のうち図柄番号９から２１までの間といった図柄１３個分に相当する範囲で停止制御が実行されれば「スイカＡ」または「チェリー」図柄を有効ラインＡ上に表示させることができる。また、右リール１３４ｃについては、図３における２１図柄のうち図柄番号７から１４までの間といった図柄８つ分に相当する範囲で停止制御が実行されれば「スイカＡ」図柄を有効ラインＡ上に表示させることができる。したがって、当選役「特殊ベル６」に当選し、特定の条件（当選役「特殊ベル６」に対応付けられた操作順での操作）を満たした場合において、ストップスイッチ１３０を無作為なタイミングで操作し、当選役「特殊ベル６」に対応するいずれかの図柄組み合わせを有効ラインＡ上に表示させることができる確率は、約１／４．２（２１／２１×１３／２１×８／２１）となる。また、当選役「特殊ベル７」に対応する図柄組み合わせの場合、かかる図柄組み合わせを構成する左リール１３４ａの図柄は「赤７」または「リプレイ」であり、中リール１３４ｂの図柄は、「スイカＡ」または「チェリー」であり、右リール１３４ｃの図柄は「スイカＢ」である。ここで、左リール１３４ａについては、上記の停止制御により、「赤７」または「リプレイ」図柄が必ず有効ラインＡ上に表示可能なように配置されている。また、中リール１３４ｂについては、図３における２１図柄のうち図柄番号９から２１までの間といった図柄１３個分に相当する範囲で停止制御が実行されれば「スイカＡ」または「チェリー」図柄を有効ラインＡ上に表示させることができる。また、右リール１３４ｃについては、図３における２１図柄のうち図柄番号２０、２１および１から６までの間といった図柄８つ分に相当する範囲で停止制御が実行されれば「スイカＢ」図柄を有効ラインＡ上に表示させることができる。したがって、当選役「特殊ベル７」に当選し、特定の条件（当選役「特殊ベル７」に対応付けられた操作順での操作）を満たした場合において、ストップスイッチ１３０を無作為なタイミングで操作し、当選役「特殊ベル７」に対応するいずれかの図柄組み合わせを有効ラインＡ上に表示させることができる確率は、約１／４．２（２１／２１×１３／２１×８／２１）となる。また、当選役「特殊ベル８」に対応する図柄組み合わせの場合、かかる図柄組み合わせを構成する左リール１３４ａの図柄は「赤７」または「リプレイ」であり、中リール１３４ｂの図柄は、「スイカＡ」または「チェリー」であり、右リール１３４ｃの図柄は「ハズレＡ」である。ここで、左リール１３４ａについては、上記の停止制御により、「赤７」または「リプレイ」図柄が必ず有効ラインＡ上に表示可能なように配置されている。また、中リ���ル１３４ｂについては、図３における２１図柄のうち図柄番号９から２１までの間といった図柄１３個分に相当する範囲で停止制御が実行されれば「スイカＡ」または「チェリー」図柄を有効ラインＡ上に表示させることができる。また、右リール１３４ｃについては、図３における２１図柄のうち図柄番号１５から１９までの間といった図柄５つ分に相当する範囲で停止制御が実行されれば「ハズレＡ」図柄を有効ラインＡ上に表示させることができる。したがって、当選役「特殊ベル８」に当選し、特定の条件（当選役「特殊ベル８」に対応付けられた操作順での操作）を満たした場合において、ストップスイッチ１３０を無作為なタイミングで操作し、当選役「特殊ベル８」に対応するいずれかの図柄組み合わせを有効ラインＡ上に表示させることができる確率は、約１／６．８（２１／２１×１３／２１×５／２１）となる。したがって、当選確率の等しい当選役「特殊ベル３」〜「特殊ベル８」のいずれかが当選した場合において、遊技者はいずれの当選役が当選したか把握することができないので、ストップスイッチ１３０を無作為に操作することとなる。この場合、当選役「特殊ベル３」〜「特殊ベル８」のいずれかに対応する図柄組み合わせを有効ラインＡ上に表示させることができる確率は、（１／６．９＋１／６．９＋１／１１．０＋１／４．２＋１／４．２＋１／６．８）／６＝１／６となる。また、当選役「特殊ベル３」〜「特殊ベル８」も、当選役「通常ベル」より、払出枚数が少なく設定されている（例えば、当選役「通常ベル」＝９枚、当選役「特殊ベル３」〜「特殊ベル８」＝１枚）。したがって、後述するようにストップスイッチ１３０の操作が制限されて当選役「特殊ベル３」〜「特殊ベル８」のいずれかに対応する図柄組み合わせしか有効ラインＡ上に表示させることができない場合、すなわち、当選役「特殊ベル３」〜「特殊ベル８」しか入賞しない場合、規定投入数「３」に対して最大１枚の払出枚数しか得ることができず、遊技の進行に応じてメダルは減ることとなる。一方で、ストップスイッチ１３０の操作が制限されることなく補助演出が実行されると、当選役「通常ベル」に対応する図柄組み合わせを有効ラインＡ上に表示させることができるので、規定投入数「３」に対して９枚の払出枚数を得る遊技を実現でき、当選役「通常ベル」の当選確率を高めることで遊技の進行に応じてメダルを増やすことができる。
【００５２】
なお、詳しくは後述するが、本実施形態においては、当選役「通常ベル」が単独で当選することがなく、必ず他の当選役（例えば、当選役「特殊ベル１」）と重複当選するので、その重複当選の当選態様によって停止制御が異なるように設定されている。したがって、各回転リール１３４ａ、１３４ｂ、１３４ｃにおいては、「ベル」図柄が、必ず有効ラインＡ上に表示可能なように配置されている（図３および図６参照）ものの、当選役「通常ベル」に重複当選しても、その当選態様によっては、取りこぼすことがあり、遊技者は、当選役「通常ベル」に対応する図柄組み合わせを必ずしも有効ラインＡ上に表示させられるとは限らない。
【００５３】
（ボーナス役）
また、当選役抽選の結果、当選役「ＢＢ」に当選した場合には、図６に示した、当選役「ＢＢ」に対応する図柄組み合わせである、例えば、図７（ｇ）のように、左リール１３４ａに記される「スイカＢ」図柄が有効ラインＡ上に表示可能となり、中リール１３４ｂに記される「ハズレＢ」図柄が有効ラインＡ上に表示可能となり、右リール１３４ｃに記される「ハズレＡ」図柄が有効ラインＡ上に表示可能となる。そして、当選役「ＢＢ」に対応する図柄組み合わせが有効ラインＡ上に表示されると、ボーナス遊技フラグがＯＮすることで、遊技状態がボーナス遊技状態に設定され、次の１遊技（以下、単に次遊技という）以降、メダルが所定枚数（例えば２６枚）払い出されるまで、ボーナス遊技状態にて遊技を実行することが可能となる。なお、各回転リール１３４ａ、１３４ｂ、１３４ｃにおいては、それぞれ「スイカＢ」、「ハズレＢ」、「ハズレＡ」図柄が、上記の停止制御によっても、有効ラインＡ上に表示されない場合があるように配置されている（図３および図６参照）。そのため、当選役「ＢＢ」に当選したとしても、遊技者は、当選役「ＢＢ」に対応する図柄組み合わせを必ずしも有効ラインＡ上に表示させられるとは限らない。
【００５４】
なお、いずれかの当選役に当選すると、それぞれの当選役に対応する内部当選フラグが成立（ＯＮ）するとともに、この内部当選フラグの成立状況に応じて、左リール１３４ａ、中リール１３４ｂ、右リール１３４ｃそれぞれの停止制御がなされることとなる。このとき、小役に当選したものの、これら当選役に対応する図柄組み合わせを、その１遊技で有効ラインＡ上に表示させることができなかった場合には、当該遊技において内部当選フラグがＯＦＦされる。つまり、小役の当選の権利は小役が当選した当該遊技のみに限られ、当該権利を次遊技に持ち越すことはできない。これに対して、当選役「ＢＢ」（ボーナス役）に当選した場合には、ＢＢ内部当選フラグが成立（ＯＮ）するとともに、当選役「ＢＢ」に対応する図柄組み合わせが有効ラインＡ上に表示されるまで、ＢＢ内部当選フラグが遊技を跨いで持ち越される。
【００５５】
主制御基板２００で管理している遊技状態の遷移と合わせて具体的に説明すると、ＢＢ内部当選フラグが成立すると、ＢＢ内部当選フラグの成立状況に応じて、図８の（１）に示すように、主制御基板２００で管理している遊技状態が、ボーナス役に当選していないボーナス非成立遊技状態から、ボーナス遊技状態の準備状態に相当するボーナス成立遊技状態となり、ボーナス成立遊技状態に基づいて左リール１３４ａ、中リール１３４ｂ、右リール１３４ｃそれぞれの停止制御がなされる。このとき、当選役「ＢＢ」に対応する図柄組み合わせを有効ラインＡ上に表示させることができなかった場合には、そのままＢＢ内部当選フラグが次遊技に持ち越され（ボーナス成立遊技状態が維持され）、次回以降の遊技においても当選役「ＢＢ」に対応する図柄組み合わせを有効ラインＡ上に表示させることが可能となる。そして、遊技者が、当選役「ＢＢ」に対応する図柄組み合わせを有効ラインＡ上に表示させると、図８の（２）に示すように、主制御基板２００で管理している遊技状態がボーナス成立遊技状態からボーナス遊技状態に遷移する。また、ボーナス遊技状態において、メダルが所定枚数払い出されると、図８の（３）に示すように、主制御基板２００で管理している遊技状態が、ボーナス遊技状態からボーナス非成立遊技状態に遷移する。ただし、図８の（４）に破線の矢印で示すように、ボーナス非成立遊技状態における当選役「ＢＢ」が成立した遊技で、当選役「ＢＢ」に対応する図柄組み合わせを有効ラインＡ上に表示させた場合、ボーナス成立遊技状態を経由せず、直接、ボーナス遊技状態に遷移する。
【００５６】
なお、リプレイ役である当選役「通常リプレイ」に対応する内部当選フラグが成立した場合には、その当選役に対応する図柄組み合わせが必ず有効ラインＡ上に表示され、メダルを要することなく次遊技を行うために必要となる処理が行われた後に、当該内部当選フラグがＯＦＦされる。
【００５７】
（当選役抽選テーブル）
図９および図１０は、当選役抽選乱数を判定する場合に用いられる当選役抽選テーブルを示す図であり、図９は、ボーナス成立遊技状態用当選役抽選テーブルを示し、図１０は、ボーナス非成立遊技状態用当選役抽選テーブルを示している。当選役抽選テーブルでは、複数の当選領域が区画されており、各遊技状態によって抽選の対象となる当選種別が異なったり、ハズレ（不当選）の有無が異なったりする。区画化された各当選領域にはそれぞれ所定の当選範囲値（置数）と当選種別（当選役）が対応付けられており、遊技状態毎に割り当てられた全ての当選領域の当選範囲値を合計すると当選役抽選乱数の総数（６５５３６）となる。したがって、当選種別それぞれが決定される確率は、当選領域に対応付けられた当選範囲値を当選役抽選乱数の総数で除算した値となる。当選役抽選手段３０４は、その時点の遊技状態に基づいて、当該当選役抽選テーブルにおける複数の当選領域から、順次、当選範囲値を取得し、その当選範囲値を当選役抽選乱数から減算して、その減算値が０未満となると、その時点の当選領域に対応付けられた当選種別を抽選結果としている。当該抽選の手順は、他の抽選においても適用できる。
【００５８】
図９のボーナス成立遊技状態用当選役抽選テーブルによれば、当選領域１には、当選種別「通常リプレイ」が対応付けられており、当該当選種別「通常リプレイ」の当選に応じて当選役「通常リプレイ」に対応する図柄組み合わせを有効ラインＡ上に表示させることができる。また、当選領域２には、当選種別「チェリー」が対応付けられ、当該当選種別「チェリー」の当選に応じて当選役「チェリー」に対応する図柄組み合わせを有効ラインＡ上に表示させることができる。また、当選領域３には、当選種別「共通ベル」が対応付けられ、当選種別「共通ベル」の当選に応じて当選役「共通ベル」に対応する図柄組み合わせを有効ラインＡ上に表示させることができる。
【００５９】
また、図９のボーナス成立遊技状態用当選役抽選テーブルによれば、複数の当選役に重複して当選することがある。例えば、当選領域４には、当選役「通常ベル」、「特殊ベル１」、「特殊ベル３」が重複した当選種別「打順ベル中１」が対応付けられている。このように、複数の当選役が重複して当選した場合には、いずれの当選役に対応する図柄組み合わせを有効ラインＡ上に表示させるかについての停止条件、例えば、ストップスイッチ１３０が操作される順番が設定されている。以下の説明において、左リール１３４ａ、中リール１３４ｂ、右リール１３４ｃの順に回転リールを停止させるストップスイッチ１３０の操作を「打順１」とし、左リール１３４ａ、右リール１３４ｃ、中リール１３４ｂの順に回転リールを停止させるストップスイッチ１３０の操作を「打順２」とし、中リール１３４ｂ、左リール１３４ａ、右リール１３４ｃの順に回転リールを停止させるストップスイッチ１３０の操作を「打順３」とし、中リール１３４ｂ、右リール１３４ｃ、左リール１３４ａの順に回転リールを停止させるストップスイッチ１３０の操作を「打順４」とし、右リール１３４ｃ、左リール１３４ａ、中リール１３４ｂの順に回転リールを停止させるストップスイッチ１３０の操作を「打順５」とし、右リール１３４ｃ、中リール１３４ｂ、左リール１３４ａの順に回転リールを停止させるストップスイッチ１３０の操作を「打順６」とする。
【００６０】
例えば、ボーナス成立遊技状態において、当選領域４が当選役抽選により決定され、左リール１３４ａ、中リール１３４ｂ、右リール１３４ｃのうち、中リール１３４ｂが第１停止、左リール１３４ａが第２停止するようにストップスイッチ１３０が操作された場合（打順３）、当選役「通常ベル」に対応する図柄組み合わせが有効ラインＡ上に表示されるように停止制御がなされる。また、中リール１３４ｂが第１停止、右リール１３４ｃが第２停止するようにストップスイッチ１３０が操作された場合（打順４）、または、右リール１３４ｃが第１停止するようにストップスイッチ１３０が操作された場合（打順５または打順６）、当選役「特殊ベル１」に対応する図柄組み合わせが有効ラインＡ上に表示されるように停止制御がなされる。また、左リール１３４ａが第１停止するようにストップスイッチ１３０が操作された場合（打順１または打順２）、当選役「特殊ベル３」に対応する図柄組み合わせが有効ラインＡ上に表示されるように停止制御がなされる。
【００６１】
ここで、上記した通り、当選役「通常ベル」または「特殊ベル１」に当選した場合には、その図柄配列上、いずれのタイミングでストップスイッチ１３０を押圧操作したとしても、これら当選役に対応するいずれかの図柄組み合わせが、必ず、有効ラインＡ上に表示されることとなる。したがって、当選種別「打順ベル中１」に当選し、遊技者が、中リール１３４ｂまたは右リール１３４ｃのいずれを最初に停止するようにストップスイッチ１３０を操作したとしても当選役「通常ベル」または「特殊ベル１」に対応する図柄組み合わせを表示することが可能となる。ただし、当選役「通常ベル」と当選役「特殊ベル１」とは、メダルの払出枚数が異なるので（例えば、当選役「通常ベル」＝９枚、当選役「特殊ベル１」＝１枚）、遊技者としては、当選役「通常ベル」に対応する図柄組み合わせが有効ラインＡ上に表示される操作を行いたいと望むこととなる。このように選択当選役の期待獲得枚数が他の操作態様より多くなる操作態様を正解操作態様と呼ぶ。また、上記した通り、「特殊ベル３」は、払出枚数も「特殊ベル１」同様少なく（例えば、１枚）、さらに、遊技者が無作為に操作した場合に当該当選役「特殊ベル３」に対応するいずれかの図柄組み合わせを有効ラインＡ上に表示させることができる確率は約１／６．９と小さい（参考として、当選役「特殊ベル３」〜「特殊ベル８」のいずれかが当選した場合において、ストップスイッチ１３０を無作為に操作し、当選役「特殊ベル３」〜「特殊ベル８」のいずれかに対応する図柄組み合わせを有効ラインＡ上に表示させることができる確率は、１／６）。また、上述したように、当選役「特殊ベル１」と当選役「特殊ベル２」とはメダルの払出枚数と、その当選役に対応するいずれかの図柄組み合わせを有効ラインＡ上に表示させることができる確率とが等しく、当選役「特殊ベル３」〜当選役「特殊ベル８」はメダルの払出枚数と、その当選役に対応するいずれかの図柄組み合わせを有効ラインＡ上に表示させることができる確率とが等しい。したがって、期待獲得枚数は、当選役「通常ベル」>当選役「特殊ベル１」、当選役「特殊ベル２」>当選役「特殊ベル３」〜当選役「特殊ベル８」となる。
【００６２】
そして、当選役抽選テーブルの当選領域４〜１５全てにおいて、当選役「通常ベル」と、当選役「特殊ベル１」または当選役「特殊ベル２」と、当選役「特殊ベル３」〜「特殊ベル８」とが重複当選するようになっており、当選役「通常ベル」を入賞させるための停止操作が当選領域によって異なるように設定されている。なお、当選領域４〜１５の当選確率（当選範囲値の数）は等しくなるように設定されている。遊技者は、通常、いずれの当選役に当選しているのかを知ることができないため、上記のような当選領域４〜１５を設けることにより、選択当選役としての当選役「通常ベル」を入賞させることが極めて難しくなっている。ただし、このようなストップスイッチ１３０の操作順に応じて遊技者の遊技利益が異なる当選種別に当選した場合においても、遊技者は、副制御基板２０２による正解操作態様を報知する補助演出を通じて正解操作態様を把握することで、特定の当選役「通常ベル」に対応する図柄組み合わせを有効ラインＡ上に表示させ、通常遊技状態より多くのメダルを獲得することが可能となる。こうして補助演出の有無によって遊技の進行に応じてメダルが増えるＡＴ（アシストタイム）遊技が実行されるＡＴ遊技状態と、遊技の進行に応じてメダルが減る通常遊技状態とを実現することができる。
【００６３】
また、主制御基板２００では、当選役抽選テーブルの当選領域４〜１５に当選した際の有効ラインＡ上の停止態様を判定することで、副制御基板２０２で管理している遊技状態、例えば、通常遊技状態とＡＴ遊技状態との間で遊技状態が遷移したことを把握することが可能となる。
【００６４】
なお、図９のボーナス成立遊技状態用当選役抽選テーブルの当選領域１６には当選種別「ハズレ」が対応付けられている。かかるハズレはメダルの払い出し等が行われることはないが、特定の図柄組み合わせを有効ラインＡ上に表示させることで遊技の開始、終了条件や遊技利益の抽選契機に利用することができる。
【００６５】
以下、遊技状態毎の当選役抽選テーブルの特徴を説明する。図１０のボーナス非成立遊技状態用当選役抽選テーブルと、図９のボーナス成立遊技状態用当選役抽選テーブルとを比較すると、前者は当選役「ＢＢ」の抽選を行っているのに対し、後者では当選役「ＢＢ」の抽選をしておらず、一方、後者は、その当選領域に相当する当選範囲値内で当選種別「ハズレ」を抽選しているのに対し、前者では抽選していない。これは、後者では、既に当選役「ＢＢ」に当選しているので重ねて当選役「ＢＢ」を当選させることができず、また、後者では、当選種別「ハズレ」が抽選された遊技で、当選している当選役「ＢＢ」に対応する図柄組み合わせを有効ラインＡ上に表示可能とするためである。また、図示はしていないが、後者は、前者に対して当選種別「通常リプレイ」の当選確率が高く設定されている。これは、後述するように、後者では、リプレイ役の当選確率を高めたり、当選役「ＢＢ」に対応する図柄組み合わせを有効ラインＡ上に表示可能にするためである。
【００６６】
（遊技状態の遷移）
以下、主制御基板２００における遊技状態（ボーナス非成立遊技状態、ボーナス成立遊技状態、ボーナス遊技状態）の遷移について詳述する。なお、本実施形態では、規定投入数が遊技状態に応じて異なっており、ボーナス非成立遊技状態、および、ボーナス成立遊技状態では、規定投入数が３枚に設定されているのに対し、ボーナス遊技状態では、規定投入数が２枚に設定されている。
【００６７】
（ボーナス非成立遊技状態）
ボーナス非成立遊技状態は、主制御基板２００で管理される複数の遊技状態のうち、初期状態に相当する遊技状態である。また、ボーナス非成立遊技状態では、当選役「通常リプレイ」の当選確率が約１／７．３に設定される。そして、図８を用いて説明したように、ボーナス非成立遊技状態において、当選役「ＢＢ」に当選すると、ボーナス成立遊技状態に移行する。本実施形態では、当選役「ＢＢ」の当選確率が例えば約１／３に設定され、比較的少ない遊技で当選役「ＢＢ」に当選するので、ボーナス非成立遊技状態の滞在期間は原則短くなる。
【００６８】
（ボーナス成立遊技状態）
ボーナス成立遊技状態は、ボーナス非成立遊技状態のみから移行し、当選役「ＢＢ」に対応する図柄組み合わせが有効ラインＡ上に表示されるまで継続する遊技状態である。この間、ＢＢ内部当選フラグが成立した状態で維持される。また、ボーナス非成立遊技状態では、当選役「通常リプレイ」の当選確率がボーナス非成立遊技状態より高い例えば約１／３．８に設定される。
【００６９】
本実施形態では、主制御基板２００においてボーナス成立遊技状態を維持しつつ、副制御基板２０２による通常遊技とＡＴ遊技とを実現する。したがって、ボーナス成立遊技状態からボーナス遊技状態に容易に遷移しないように、ボーナス成立遊技状態における当選役抽選の当選確率を調整している。
【００７０】
ボーナス成立遊技状態において、図９に示したボーナス成立遊技状態用当選役抽選テーブルを参照して理解できるように、当選役抽選手段３０４は、ＢＢ内部当選フラグが持ち越されている遊技においても、リプレイ役や小役を抽選している。したがって、リプレイ役や小役が当選役抽選により当選すると、リプレイ役や小役の当選フラグと、ＢＢ内部当選フラグとがいずれも成立していることとなる。ここで、本実施形態では、リプレイ役>小役>ボーナス役の順に優先順位が定められている。すなわち、リプレイ役や小役が当選した遊技において、リール制御手段３０６は、リプレイ役や小役に対応する図柄組み合わせが有効ラインＡ上に表示されるように停止制御し、当選役「ＢＢ」に対応する図柄組み合わせは、遊技者が狙ったとしても、有効ラインＡ上に表示されることはない。
【００７１】
ここで、図９のボーナス成立遊技状態用当選役抽選テーブルを参照すると、ボーナス成立遊技状態では、リプレイ役、小役、ハズレのいずれかが当選するようになっている。本実施形態では、ハズレの当選確率を、例えば、１／６５５３６とすることで、ほぼ、リプレイ役または小役のいずれかが当選することになる。すると、上記の如く、リプレイ役または小役に対応する図柄組み合わせが優先され、当選役「ＢＢ」に対応する図柄組み合わせを有効ラインＡ上に表示させることができない。また、リプレイ役や小役が当選していないハズレの遊技でのみ当選役「ＢＢ」に対応する図柄組み合わせを有効ラインＡ上に表示させることが可能であるが、遊技者は、当選役抽選においてハズレであったことを把握することができないので、やはり、当選役「ＢＢ」に対応する図柄組み合わせは有効ラインＡ上に表示され難い。また、当選役抽選がハズレであったとしても、遊技者が無作為に操作した場合に、各回転リール１３４ａ、１３４ｂ、１３４ｃに１図柄ずつしか記されていない当選役「ＢＢ」に対応する図柄組み合わせが表示される可能性は少ない。こうして、遊技者が当選役「ＢＢ」の入賞を意図的に回避しなければならない状況を減らし、遊技者の煩わしい操作負担を軽減しつつ、ボーナス成立遊技状態を容易に維持させることが可能となる。
【００７２】
また、ボーナス成立遊技状態では、上述したように、ほぼ、リプレイ役または小役のいずれかが当選することになっており、リプレイ役が約１／３．８の高確率で当選することで、遊技者のメダルの消費を抑え、また、ＡＴ遊技が実現されると、補助演出によって正解操作態様が報知されるので、遊技者は、メダルを獲得することが可能となる。ここでは、リプレイ役が、既に、約１／３．８といった高確率で当選するので、リプレイ役の当選確率が高くなるＲＴ（リプレイタイム）等の当選を待つことなく、ＡＴ遊技のみを速やかに開始することが可能となる。
【００７３】
（ボーナス遊技状態）
ボーナス遊技状態は、ボーナス役に対応する図柄組み合わせが有効ラインＡ上に表示されたことを契機に移行し、メダルが所定枚数（例えば、２６枚）払い出されるまで継続する遊技状態である。ボーナス遊技状態では、当選役抽選手段３０４による当選役抽選結果が全てハズレとなるようになっている。ただし、かかる当選役抽選の結果に拘わらず、全ての抽選結果において、対応する図柄組み合わせが、必ず有効ラインＡ上に表示可能な小役に強制的に設定される。したがって、ボーナス遊技において、遊技者は、必ず、メダルの所定枚数の払出を受けることができる。ただし、本実施形態では、払出枚数を規定投入数（ここでは２枚）と等しくしているため、ボーナス遊技によって得られるメダル数は±０枚である。また、本実施形態では、ボーナス遊技終了後のボーナス非成立遊技状態において補助演出が実行されないので、遊技者のメダルは減ることが多くなる。
【００７４】
一方、ボーナス成立遊技状態では、ＡＴ遊技において補助演出が実行されるため、メダルが増えることに期待できる。したがって、遊技者は、遊技状態がボーナス成立遊技状態からボーナス遊技状態に移行するのを回避し、長期に亘ってボーナス成立遊技状態を維持しようとする。こうして、主制御基板２００が管理する遊技状態をボーナス成立遊技状態に維持しつつ、ボーナス成立遊技状態中において、副制御基板２０２による通常遊技やＡＴ遊技を実現することができる。
【００７５】
（副制御基板２０２）
図４に戻って説明すると、副制御基板２０２は、主制御基板２００と同様に、中央処理装置であるサブＣＰＵ２０２ａ、プログラム等が格納されたサブＲＯＭ２０２ｂ、ワークエリアとして機能するサブＲＡＭ２０２ｃ等を含む各種半導体集積回路を有し、主制御基板２００からのコマンドに基づき、特に演出を制御する。また、サブＲＡＭ２０２ｃにもメインＲＡＭ２００ｃ同様、不図示のバックアップ電源が接続されており、電源が切断された場合においても、データが消去されることなく保持される。なお、副制御基板２０２にも、主制御基板２００同様、乱数発生手段２０２ｄが設けられており、乱数発生手段２０２ｄによって生成される乱数（以下、演出抽選乱数という）は、主に演出の態様を決定するために用いられる。
【００７６】
また、副制御基板２０２には、液晶表示部１３８、演出用ランプ１４２、リールバックライト１４４、リール上方ライト１４６、サブクレジット表示部１５６、サブ払出表示部１５８、スピーカ１４０等の各演出用デバイスを制御するデバイス制御手段２０２ｅ、および、デバイス制御手段２０２ｅが受信した、各演出を特定する遊技データ等を一時的に保持するデバイスＲＡＭ２０２ｆが設けられている。本実施形態では、サブＣＰＵ２０２ａが、遊技の進行に応じて実行される演出を特定する遊技データを決定し、決定した遊技データを送信し、デバイス制御手段２０２ｅが、サブＣＰＵ２０２ａから遊技データを受信し、受信した遊技データを一時的にデバイスＲＡＭ２０２ｆに保持した後、その遊技データに応じて演出を実行する。ここで、デバイスＲＡＭ２０２ｆは、登録用記憶手段２０２ｇおよび描画用記憶手段２０２ｈとして機能する。登録用記憶手段２０２ｇおよび描画用記憶手段２０２ｈには情報遊技データが保持される。情報遊技データは、そのデータ中に進行情報を含んでいる。進行情報は、遊技の進行に応じて変化する遊技利益を示す情報であり、例えば、ＡＴ遊技の残り遊技数やＡＴ遊技における経過遊技数等、遊技の進行に応じて変化する計数値で表される。また、情報遊技データには、更新情報が関連付けられている場合がある。更新情報は、演出画像の一部（進行情報に基づく画像）を更新するタイミングを示し、例えば、情報遊技データの特定のビットで表される。ここで、特定のビットが「０」であれば、進行情報を即座に更新することを示し、「１」であれば、任意の遊技データの受信タイミングにおいて進行情報を更新することを示す。ここで、任意の遊技データは、予め定められた特定の遊技データ、遊技毎に決定される所定の遊技データ、または、その内容は問われないが情報遊技データを受信した後に受信する遊技データのうち特定の順番に受信した遊技データ等、何らかの規則に基づいて決定される遊技データをいう。ここでは、情報遊技データの特定のビットに更新情報を割り当てることで更新情報を情報遊技データに関連付けしているが、複数のビット列に割り当てたり、メタデータとして情報遊技データに関連付けることもできる。また、上記の描画用記憶手段２０２ｈに保持された情報遊技データに含まれる進行情報と液晶表示部１３８に表示される演出画像とは連動しており、描画用記憶手段２０２ｈにおいて情報遊技データが更新されると、それに応じて演出画像も更新される。したがって、情報遊技データに含まれる進行情報を演出画像に即座に反映させたくない場合は、後述するように、情報遊技データを、一旦、登録用記憶手段２０２ｇに保持し、所望するタイミングで、情報遊技データを描画用記憶手段２０２ｈに複製する。こうして情報遊技データの進行情報を演出画像に反映するタイミングを調整することができる。
【００７７】
また、副制御基板２０２は、サブＣＰＵ２０２ａが、サブＲＯＭ２０２ｂに格納されたプログラムに基づき、サブＲＡＭ２０２ｃと協働することで機能する、初期化決定手段３３０、コマンド受信手段３３２、演出決定手段３３４、データ送信手段３３６、特定遊技決定手段３３８等の機能部を有する。初期化決定手段３３０は、副制御基板２０２における初期化処理を実行する。コマンド受信手段３３２は、主制御基板２００等、他の制御基板からのコマンドを受信し、コマンドに対する処理を行う。演出決定手段３３４は、遊技の進行に応じて、遊技者に提供する演出パターンを特定する遊技データを順次決定する。例えば、演出決定手段３３４は、演出として、液晶表示部１３８に表示される演出画像を決定し、画像遊技データを生成したり、演出として、上記進行情報を決定し、進行情報を含む情報遊技データを生成する。ここで、画像遊技データは、背景やキャラクタ、また、そのキャラクタの動作等を含む演出画像を示す遊技データである。また、画像遊技データには、上記進行情報に基づく画像の演出画像上の位置、大きさ、フォント等の情報も含んでいる。したがって、演出画像は画像遊技データに基づいて形成され、情報遊技データは、その演出画像の一部を更新するために進行情報が参照されるのみという位置づけになる。また、演出決定手段３３４は、情報遊技データに、上記更新情報を関連付ける。データ送信手段３３６は、演出決定手段３３４が決定した遊技データをデバイス制御手段２０２ｅに順次送信する。特定遊技決定手段３３８は、当選役コマンドに基づいて遊技者に有利な特定遊技に関する利益の付与の実行可否を特定遊技抽選により決定する。ここで、特定遊技とは、遊技者に対し遊技が有利に進行する、例えば、補助演出を実行するＡＴ遊技をいう。したがって、特定遊技決定手段３３８は、副制御基板２０２で管理している遊技状態を、通常遊技状態と特定遊技状態（ここでは、ＡＴ遊技状態）との間で遷移させる。このとき、ＡＴ遊技状態で重ねてＡＴ遊技が当選すると、ＡＴ遊技を継続できる遊技数である残り遊技数に所定の遊技数が加算され（所謂、上乗せ）、ＡＴ遊技の残り遊技数が延長されることとなる。ここで、特定遊技決定手段３３８による遊技状態の遷移について説明する。
【００７８】
（遊技状態の遷移）
図１１は、遊技状態の状態遷移を説明するための説明図である。特定遊技決定手段３３８は、主制御基板２００が管理する遊技状態がボーナス成立遊技状態であることを条件に、当選役抽選手段３０４が決定した当選役に基づいて、例えば、ＡＴ遊技の実行可否を特定遊技抽選により決定し、ＡＴ遊技に当選すると、図１１の（５）に示すように、副制御基板２０２で管理している遊技状態を、補助演出を行わない通常遊技状態からＡＴ遊技状態に遷移する。また、遊技数が、ＡＴ遊技状態の実行と同時に決定された、ＡＴ遊技状態を継続可能な予め定められた遊技数に到達すると、図１１の（６）に示すように、副制御基板２０２で管理している遊技状態を、ＡＴ遊技状態から通常遊技状態に遷移する。また、特定遊技決定手段３３８は、ＡＴ遊技状態において、さらにＡＴ遊技の抽選を行い、図１１の（７）に示すように、ＡＴ遊技に当選すると、残りの遊技数に所定の遊技数を加算する、所謂、上乗せ抽選も実行する。ここで、遊技数が加算されると、加算された遊技数分、ＡＴ遊技状態が長く維持され、遊技者は、遊技を有利に進行することができる。以下、副制御基板２０２における遊技状態（通常遊技状態、ＡＴ遊技状態）について詳述する。
【００７９】
（通常遊技状態）
通常遊技状態は、副制御基板２０２で管理される複数の遊技状態のうち、初期状態に相当する遊技状態である。通常遊技状態が実行される際、主制御基板２００では、ボーナス成立遊技状態となっているので、リプレイ役や小役の当選確率が高く設定されていることになるが、補助演出の実行頻度がＡＴ遊技状態より低く、ほぼ補助演出が行われないので、獲得できるメダルの枚数が制限される。
【００８０】
また、通常遊技状態では、ストップスイッチ１３０の操作が正当の操作態様（打順１または打順２）に制限され、遊技者は、そのような正当の操作態様以外の変則操作態様（打順３〜打順６）で操作を行うと、例えば、所定の遊技数を消化するまで、ＡＴ遊技の抽選が実行されない等、遊技が不利に進行するペナルティが科されることとなる。ペナルティとしては、その他、所定の遊技数を消化するまでＡＴ遊技の抽選結果が破棄されたり、ＡＴ遊技の抽選に当選しても、所定の遊技数を消化するまでＡＴ遊技が開始されない等がある。
【００８１】
（ＡＴ遊技状態）
ＡＴ遊技状態は、通常遊技状態から移行する遊技状態であり、副制御基板２０２による補助演出が行われる。また、ＡＴ遊技状態は、遊技数が設定された所定の遊技数に到達したことで終了する。ＡＴ遊技状態では、上述した上乗せ抽選も行われる。
【００８２】
ＡＴ遊技状態は、通常遊技状態同様、主制御基板２００においてはボーナス成立遊技状態が維持されているので、リプレイ役や小役の当選確率が通常遊技状態同様高く設定されており、さらに、ＡＴ遊技における補助演出によって正解操作態様が報知されることで、リプレイ役の入賞でメダルの消費を抑えつつ、小役の入賞で多くのメダルを獲得することが可能となる。また、ＡＴ遊技は、その抽選と実行が同じ副制御基板２０２で行われるので、ＡＴ遊技に当選すると、直ちにＡＴ遊技を開始することができる。
【００８３】
また、ＡＴ遊技状態では、上記通常遊技状態のようなペナルティを科していない。当該ＡＴ遊技状態では、選択当選役が重複当選している場合に、正解操作態様を報知することで、正解操作態様による選択当選役を入賞させ、遊技者にメダルを獲得させることを目的としている。したがって、正解操作態様に対応している変則操作態様をペナルティにすることができないからである。
【００８４】
上述したように、主制御基板２００が管理する遊技状態は、ほぼ、ボーナス成立遊技状態に滞在しており、ボーナス成立遊技状態であることを条件に、副制御基板２０２では、遊技状態を、通常遊技状態と、ＡＴ遊技状態との間で遷移させる。
【００８５】
図４に戻って説明すると、副制御基板２０２におけるデバイス制御手段２０２ｅは、データ受信手段３５０、情報遊技データ処理手段３５２、演出実行手段３５４等の機能部を有する。データ受信手段３５０は、データ送信手段３３６が送信した遊技データを受信する。情報遊技データ処理手段３５２は、データ受信手段３５０が情報遊技データを受信すると、情報遊技データを登録用記憶手段２０２ｇに保持させる。そして、情報遊技データ処理手段３５２は、情報遊技データを登録用記憶手段２０２ｇに保持させた後、登録用記憶手段２０２ｇに保持された情報遊技データに関連付けられた更新情報を読み出し、その更新情報が即座の更新を示していれば、情報遊技データを、登録用記憶手段２０２ｇから描画用記憶手段２０２ｈに即座に複製する。一方、登録用記憶手段２０２ｇに保持された情報遊技データに関連付けられた更新情報が、任意の遊技データの受信タイミングを示していれば、それ以降の任意の遊技データが受信されたタイミングで、情報遊技データを登録用記憶手段２０２ｇから描画用記憶手段２０２ｈに複製する。例えば、更新情報が任意の画像遊技データの受信タイミングを示していれば、情報遊技データ処理手段３５２は、その画像遊技データが受信されたタイミングで情報遊技データを登録用記憶手段２０２ｇから描画用記憶手段２０２ｈに複製する。演出実行手段３５４は、データ受信手段３５０が受信した遊技データや過去に受信した遊技データに応じ、遊技データに関連付けられた、画像データ、電飾データ、および、音声データの群から選択される１または複数のデータを読み出し、それぞれを各デバイスに送信して演出を実行する。例えば、演出実行手段３５４は、液晶表示部１３８に画像データを送信し、演出用ランプ１４２、リールバックライト１４４、リール上方ライト１４６、サブクレジット表示部１５６、サブ払出表示部１５８等の電飾機器に電飾データを送信し、スピーカ１４０に音声データを送信する。こうして、その画像データに基づく画像が液晶表示部１３８に表示され、電飾データに基づいて電飾機器が発光し、音声データに基づく音声がスピーカ１４０から出力される。このとき、データ受信手段３５０が受信した情報遊技データに関連付けられた更新情報が任意の画像遊技データの受信タイミングを示していれば、演出実行手段３５４は、この任意の画像遊技データに基づく演出画像の一部を、描画用記憶手段２０２ｈに保持された情報遊技データに含まれる進行情報に基づいて更新し、更新した演出画像を、画像データを通じて液晶表示部１３８に表示する。また、データ受信手段３５０が受信した情報遊技データに関連付けられた更新情報が即座の更新を示していれば、演出実行手段３５４は、液晶表示部１３８にその時点で表示されている演出画像の一部を、描画用記憶手段２０２ｈに保持された情報遊技データに含まれる進行情報に基づいて更新し、更新した演出画像を、画像データを通じて液晶表示部１３８に表示する。
【００８６】
ここで、演出とは、遊技の進行に伴い、液晶表示部１３８、演出用ランプ１４２、リールバックライト１４４、リール上方ライト１４６、サブクレジット表示部１５６、サブ払出表示部１５８、スピーカ１４０等を通じて提供される視覚的および聴覚的な表現手段であり、当該遊技にストーリー性を与えたり、当選役の抽選結果をよりダイナミックな画像で示唆したりすることができる。当選役の抽選結果を示唆する演出としては、例えば、遊技者が左リール１３４ａ、中リール１３４ｂ、右リール１３４ｃの停止操作を適当に行っただけでは、当選役に対応する図柄組み合わせを必ずしも有効ラインＡ上に表示させることができるとは限らない当選役（例えば、当選役「チェリー」）に当選した場合に、遊技者が停止操作を行う前にその当選役を示唆し、当選役に対応する図柄組み合わせを有効ラインＡ上に表示させるように促すものがある。また、上述したボーナス役に関しては、ＢＢ内部当選フラグを複数遊技に亘って持ち越すことが可能なので、ボーナス役の当選を示唆する演出を複数遊技に亘って行ったり、いずれかの遊技で遊技者の操作入力を所定時間無効化し、その間に特定の演出を実行するフリーズ処理を行ったりして、遊技者の期待感を高めることができる。また、たとえ、いずれの当選役も当選していなかったとしても、恰も当選しているかのような演出を通じて遊技者に高配当の期待感を持たせ、遊技者を飽きさせないようにすることが可能となる。
【００８７】
上述した当選役の抽選結果を示唆する演出としては補助演出がある。例えば、ボーナス成立遊技状態において、図９に示すボーナス成立遊技状態用当選役抽選テーブルの当選領域４〜１５の当選種別「打順ベル中１」、「打順ベル中２」、「打順ベル中３」、「打順ベル中４」、「打順ベル中５」、「打順ベル中６」、「打順ベル右１」、「打順ベル右２」、「打順ベル右３」、「打順ベル右４」、「打順ベル右５」、「打順ベル右６」が当選した場合に、遊技者は、期待獲得枚数が最大となる正解操作態様を把握することができない。したがって、遊技者が、左リール１３４ａ、中リール１３４ｂ、右リール１３４ｃを無作為に停止操作しただけでは、正解操作態様による選択当選役に対応する図柄組み合わせを必ずしも有効ラインＡ上に表示させることができるとは限らない。ここで、演出実行手段３５４が、遊技者が停止操作を行う前に補助演出を実行して正解操作態様を報知することで、遊技者は、多くのメダルを獲得することが可能となる。
【００８８】
本実施形態では、副制御基板２０２内で演出を処理しているが、液晶表示部１３８に表示される静止画や動画を含む画像は、データ容量やその表示に伴う処理負荷が膨大となるため、別途、液晶制御基板を介在させて画像に基づく演出を処理する場合もある。
【００８９】
（副制御基板２０２で用いられるテーブル）
図１２は、副制御基板２０２で演出パターンの抽選に用いられる演出抽選テーブルを説明する図である。副制御基板２０２のサブＲＯＭ２０２ｂには、当選役や、副制御基板２０２が管理する遊技状態（通常遊技状態、ＡＴ遊技状態）等に応じて複数の演出抽選テーブルが設けられ、演出決定手段３３４は、所定の遊技状態における任意の当選役の当選等、所定の契機に応じて１の演出抽選テーブルを決定する。
【００９０】
例えば、演出決定手段３３４は、図１２に示すような演出抽選テーブルを決定する。図１２に示す演出抽選テーブルでは、演出抽選乱数の総数（６５５３６）に相当する領域が複数の当選領域（１〜４）に区画されており、当選領域毎に、当選範囲値と、切替契機と、演出パターンとが対応付けられている。ただし、ここでは、説明の便宜のため、演出パターンに基づいて演出画像が特定される場合を説明する。演出決定手段３３４は、演出抽選テーブルにおける複数の当選領域の当選範囲値と、取得した演出抽選乱数とを比較して、演出抽選乱数に対応した抽選結果を導出する。
【００９１】
また、各当選領域には、演出パターンが複数対応付けられている。これは、遊技者による操作（操作契機）に応じて１遊技中に演出パターンが変化する継続演出であることを意味している。例えば、遊技状態がＡＴ遊技状態のときに、遊技者により、スタートスイッチ１２８が操作され、任意の当選役に当選し、その当選役に基づく特定遊技抽選の結果、進行情報としてＡＴ遊技の残り遊技数が加算（上乗せ）されるとする。演出決定手段３３４が、当選役抽選の結果、遊技状態、特定遊技抽選の結果に基づいて、図１２の演出抽選テーブルを決定し、演出抽選乱数に基づいて当選領域３を決定した場合、そのスタートスイッチ１２８の操作（スタート）を契機に、当選領域３の演出パターン１１に基づく演出画像が決定され、その演出画像を示す画像遊技データが生成される。そして、演出実行手段３５４は、かかる画像遊技データに基づいて演出画像を生成し、演出画像を示す画像データを液晶表示部１３８に送信する。このとき、液晶表示部１３８では、例えば、背景は、ＡＴ遊技状態を示す「夕方ステージ」が表示され、画面上には、特定遊技抽選に当選している期待度の高い「キャラクタＡ」がカットインとして表示される。ここでは、スタートスイッチ１２８の操作時に特定遊技抽選の結果としてＡＴ遊技の残り遊技数の加算が既に決定しているが、その抽選結果の報知は直ちに行われず、異なる操作契機（ここではベットボタン１２６の操作）で実行される。
【００９２】
そして、各回転リール１３４ａ、１３４ｂ、１３４ｃが回転し、遊技者によりストップボタンスイッチ１３０ａ、１３０ｂ、１３０ｃのいずれか一つが操作されると（第１停止）、それを契機に、当選領域３の演出パターン１２に基づく演出画像が決定され、その演出画像を示す画像遊技データが生成される。そして、演出実行手段３５４は、かかる画像遊技データに基づいて演出画像を生成し、演出画像を示す画像データを液晶表示部１３８に送信する。このとき、液晶表示部１３８では、例えば、背景は「夕方ステージ」のままで、敵のキャラクタＢと戦う味方のキャラクタとして「キャラクタＡ」が出現する。同様に、遊技者により、引き続き他のストップボタンスイッチ１３０ａ、１３０ｂ、１３０ｃのいずれか一つが操作されると（第２停止）、当選領域３の演出パターン１３に基づく演出画像が決定され、その演出画像に基づいて画像遊技データが生成される。そして、演出実行手段３５４は、かかる画像遊技データに基づいて演出画像を生成し、演出画像を示す画像データを液晶表示部１３８に送信する。このとき、液晶表示部１３８では、例えば、背景は「夕方ステージ」のままで、「キャラクタＡ」が敵のキャラクタＢを攻撃する画像が表示される。ストップボタンスイッチ１３０ａ、１３０ｂ、１３０ｃの残りの一つが操作されると（第３停止）、当選領域３の演出パターン１４に基づく演出画像が決定され、その演出画像に基づいて画像遊技データが生成される。そして、演出実行手段３５４は、かかる画像遊技データに基づいて演出画像を生成し、演出画像を示す画像データを液晶表示部１３８に送信する。このとき、液晶表示部１３８では、例えば、背景は「夕方ステージ」のままで、「キャラクタＡ」が敵のキャラクタＢに勝利する画像が表示される。
【００９３】
かかる敵のキャラクタＢに勝利する演出により、遊技者は、当該遊技を含む過去のいずれかの遊技において（実際は当該遊技）何らかの遊技利益を得ていることを把握することができる。そして、遊技者により、次の遊技に移行するためベットボタン１２６が操作（キャンセル操作）されると、当選領域３の演出パターン１５に基づく演出画像が決定され、その演出画像に基づいて画像遊技データが生成される。そして、演出実行手段３５４は、かかる画像遊技データに基づいて演出画像を生成し、演出画像を示す画像データを液晶表示部１３８に送信する。このとき、液晶表示部１３８では、画像遊技データに基づくＡＴ遊技の残り遊技数の加算を示す報知画像とともに、特定遊技抽選の結果として、進行情報であるＡＴ遊技の残り遊技数が報知される。
【００９４】
例えば、当選領域３の演出パターンは、演出パターン１１〜１５に順次移行するに連れ、画像、発光、音声が変化し、何らかの遊技利益を得ている期待感が高まるようになっている。そして、最終的に、ベットボタン１２６を通じてキャンセル操作が行われると、演出パターン１５によって、ＡＴ遊技の残り遊技数が加算されたことが報知される。このように、遊技者の操作に応じて演出パターンを動的に変化させることで、遊技者の期待感を高めるとともに、遊技者に、ＡＴ遊技の残り遊技数が加算されたことの達成感を与えることができる。また、ここでは、継続演出として、ＡＴ遊技の残り遊技数の加算の報知演出を例に挙げたが、継続演出は、例えば、遊技を跨いだ演出やＡＴ遊技中の補助演出等、連続的な様々な演出を含んでいる。
【００９５】
上述したように、演出決定手段３３４は、このように演出パターンを決定すると、かかる演出パターンを特定する遊技データを順次決定し、データ送信手段３３６は、決定された遊技データを即座にデバイス制御手段２０２ｅに送信する。そして、遊技データを受信したデバイス制御手段２０２ｅの演出実行手段３５４が、例えば、遊技データに基づく画像データを読み出し、液晶表示部１３８に送信する。
【００９６】
（具体的な演出例）
以下、上述した上乗せ抽選を例に挙げ、抽選結果の決定タイミングと、その抽選結果の報知タイミングとが異なる場合の抽選結果の報知に関する従来の問題点と、その解決手段を説明する。ここでは、図１２を用いて説明したように、スタートスイッチ１２８の操作に応じて、進行情報であるＡＴ遊技の残り遊技数の加算（上乗せ）が決定され（情報遊技データが生成され）、ベットボタン１２６によるキャンセル操作に応じて、そのＡＴ遊技の残り遊技数が加算されたことの報知演出を行う（画像遊技データが生成される）場合を例に挙げる。
【００９７】
従来、液晶表示部１３８への表示に関するＡＴ遊技の残り遊技数はデバイス制御手段が管理し、その残り遊技数自体は、デバイス制御手段が管理する描画用記憶手段に保持される。したがって、従来では、ＡＴ遊技の残り遊技数の加算が決定すると、演出決定手段によって、残り遊技数を増やすための情報遊技データが生成され、データ送信手段によって情報遊技データがデバイス制御手段に送信され、描画用記憶手段の情報遊技データが更新されると、情報遊技データに含まれる進行情報である残り遊技数が演出画像に即座に反映されていた。
【００９８】
ただし、従来の上乗せ抽選において、データ送信手段は、スタートスイッチ１２８の操作タイミングで情報遊技データが生成されても、その生成された情報遊技データをデバイス制御手段に即座には送信しない。その後、ベットボタン１２６によるキャンセル操作が行われると、演出決定手段は、ＡＴ遊技の残り遊技数が加算されたことを示す画像（演出画像）を示す画像遊技データを生成する。そして、データ送信手段は、まだ送信していない情報遊技データと画像遊技データとを一度に連続させて送信する。演出実行手段は、受信した順に遊技データを反映し、反映後の画像を即座に表示する。しかし、このように進行情報を含む情報遊技データと、液晶表示部１３８に画像を表示させるための画像遊技データとが単に個別に送信されると、時差のある遊技データに応じて演出の実行タイミングが異なってしまう。
【００９９】
図１３は、抽選結果の決定タイミングと、その抽選結果の報知タイミングとが異なる場合の問題点を説明する説明図である。図１３にはタイムチャートと、時点Ａ、Ｂ、Ｃ、Ｄ、Ｅにおける液晶表示部１３８の表示態様とが示されている。また、液晶表示部１３８では、画面左上にＡＴ遊技の残り遊技数、画面右上に、ＡＴ遊技において経過した遊技数であるＡＴ経過遊技数が示される。かかるＡＴ遊技の残り遊技数およびＡＴ経過遊技数はいずれも進行情報である。
【０１００】
例えば、図１３（ａ）の時点Ａでは、ＡＴ遊技の残り遊技数が５０であり、ＡＴ経過遊技数が１０であるとする。ここで、スタートスイッチ１２８により主制御基板２００から副制御基板２０２に当選役コマンドが送信されると、演出決定手段は、かかる当選役コマンドによる特定遊技抽選の結果に基づいて、ＡＴ遊技の残り遊技数を１００加算し、進行情報を５０＋１００とするための情報遊技データを生成する。しかし、この時点では、情報遊技データは送信されない。そして、ストップスイッチ１３０を操作した後のベットボタン１２６によるキャンセル操作に応じて主制御基板２００から副制御基板２０２に投入コマンドが送信されると、演出決定手段は、かかる投入コマンドに応じて画像遊技データを生成する。そして、情報遊技データと画像遊技データとがその順に送信される。情報遊技データが受信されると、描画用記憶手段で更新された情報遊技データに基づいて進行情報である残り遊技数が５０から１５０に増える。かかる描画用記憶手段の更新により、図１３（ａ）の時点Ｂには、進行情報が反映され、液晶表示部１３８に残り遊技数の表示が１５０に更新されてしまう。そして、画像遊技データが受信されると、図１３（ａ）の時点Ｃには、画像遊技データに基づいて、ＡＴ遊技の残り遊技数が加算されたことを示す画像が表示される。このとき、時点Ｃの抽選結果を報知する画像が表示される前に、時点Ｂにおいて残り遊技数が加算されたことが遊技者に把握される。したがって、抽選結果を報知する画像による演出効果が低減されてしまう。
【０１０１】
一方、演出決定手段が、投入コマンドに応じて画像遊技データを生成した後、画像遊技データと情報遊技データとがその順に送信されるとする。画像遊技データが受信されると、図１３（ｂ）の時点Ｄには、画像遊技データに基づいてＡＴ遊技の残り遊技数が加算されたことを示す画像が表示される。しかし、この時点Ｄには、まだ描画用記憶手段が更新されていないので、残り遊技数が増加前の５０と表示され、加算される遊技数も０となってしまう。そして、情報遊技データが受信されると、描画用記憶手段に保持された情報遊技データに基づいて進行情報である残り遊技数が５０から１５０に増える。かかる描画用記憶手段の更新により、図１３（ｂ）の時点Ｅには、ようやく、残り遊技数が１５０、加算される遊技数が１００と表示される。このとき、演出画像では、時点Ｄの抽選結果を報知する画像に一旦増加前の残り遊技数５０が表示され、時点Ｅで増加後の残り遊技数に変化するといった事象が生じるので、残り遊技数の表示がちらつく等違和感が生じてしまう。このように、情報遊技データと画像遊技データとを同一のタイミングで送ることができない場合、意図した演出効果を得ることができない場合がある。
【０１０２】
また、図１３（ａ）および図１３（ｂ）の例では、データ送信手段が、抽選結果が決定されたタイミングではなく、抽選結果を報知するタイミングに達してはじめて情報遊技データ（進行情報）を送信しているので、既に抽選結果（ＡＴ遊技の残り遊技数の加算）が出ているにも拘わらず、デバイス制御手段側において抽選結果の報知タイミングまで抽選結果を把握することができず、それまでの間、抽選結果に基づく画像による演出（画像構成）を実行することができなかった。
【０１０３】
そこで、本実施形態では、情報遊技データと画像遊技データとの送信タイミングが異なる場合であっても、画像を伴う違和感のない演出によって演出効果を高めることを目的とする。
【０１０４】
図１４は、本実施形態における遊技データの送信態様を説明するための説明図である。図１４にはタイムチャートと、時点Ｆ、Ｇ、Ｈにおける液晶表示部１３８の表示態様とが示されている。本実施形態では、図１４（ａ）に示すように、描画用記憶手段２０２ｈの前段の記憶手段として登録用記憶手段２０２ｇを備える。描画用記憶手段２０２ｈと登録用記憶手段２０２ｇとは、描画用記憶手段２０２ｈに保持された情報遊技データに基づくＡＴ遊技の残り遊技数等の計数値が液晶表示部１３８に表示される計数値と同期しているのに対し、登録用記憶手段２０２ｇは、液晶表示部１３８に表示される計数値と独立しており、一時的に情報遊技データを保持しているに過ぎない点で異なる。
【０１０５】
そして、演出決定手段３３４が情報遊技データを生成すると、図１４（ａ）に示すように、データ送信手段３３６は、その情報遊技データをデバイス制御手段２０２ｅに直ちに送信し、図１４（ａ）の時点Ｆにおいて、データ受信手段３５０が情報遊技データを受信すると、情報遊技データ処理手段３５２は、その情報遊技データを、まず、登録用記憶手段２０２ｇに保持させる。時点Ｆでは、登録用記憶手段２０２ｇ中の情報遊技データは変更されたものの、描画用記憶手段２０２ｈ中の情報遊技データが変更されていないので、液晶表示部１３８に表示されたＡＴ遊技の残り遊技数は５０のままであり、ＡＴ経過遊技数は１０のままである。
【０１０６】
本実施形態において、情報遊技データには上述した更新情報が関連付けられている。ここで、更新情報は、情報遊技データを２ｂｙｔｅとした場合に、情報遊技データの特定のビット、例えば、ＭＳＢ（Most Significant Bit）の１ｂｉｔに情報フラグによって表される。例えば、ＭＳＢが「０」であれば、更新情報が即座の更新を示し、ＭＳＢが「１」であれば、任意の遊技データの受信タイミングの更新を示す。また、後者の場合、副制御基板２０２が管理する遊技状態等に任意の遊技データが予め固定的に関連付けられていれば、例えば、ベットボタン１２６によるキャンセル操作時の画像遊技データに関連付けられていれば、その遊技データの受信タイミングで更新を行い、関連付けられていなければ、情報遊技データの他のｂｉｔを用いて、任意の遊技データが指定される。
【０１０７】
情報遊技データ処理手段３５２は、登録用記憶手段２０２ｇに保持された情報遊技データに関連付けられた更新情報を読み出し、更新情報が任意の遊技データ、例えば、画像遊技データの受信タイミングを示していれば、図１４（ａ）の時点Ｇのように、更新情報が示す、画像遊技データが受信されたタイミングで、情報遊技データを登録用記憶手段２０２ｇから描画用記憶手段２０２ｈに複製する。すると、演出実行手段３５４が、画像遊技データの受信タイミングで、当該情報遊技データに含まれる進行情報を参照し、画像遊技データに基づく演出画像の一部を、参照した進行情報に基づいて更新し、その更新された演出画像を液晶表示部１３８に表示する。したがって、ここでは、ＡＴ遊技の残り遊技数の加算を示す報知画像が表示されるタイミングで残り遊技数が１５０に更新されることとなる。
【０１０８】
かかる構成では、画像遊技データの受信を契機に、ＡＴ遊技の残り遊技数が加算された後の進行情報が反映された画像を液晶表示部１３８に表示するので、すなわち、残り遊技数の更新と、ＡＴ遊技の残り遊技数が加算されたことを示す画像の更新とが同時に行われるので、抽選結果を報知する画像による演出効果が低減されることなく、また、違和感が伴うこともなく、遊技者に意図した演出効果を与えることが可能となる。
【０１０９】
一方、情報遊技データ処理手段３５２が、登録用記憶手段２０２ｇに保持された情報遊技データに関連付けられた更新情報を読み出し、更新情報が即座の更新を示していれば、図１４（ｂ）の時点Ｈのように、情報遊技データを、登録用記憶手段２０２ｇから描画用記憶手段２０２ｈに即座に複製する。すると、演出実行手段３５４が、当該情報遊技データに基づく進行情報を参照し、その時点で液晶表示部１３８に表示されている演出画像の一部を、参照した進行情報に基づいて更新し、その演出画像を液晶表示部１３８に即座に表示する。したがって、ここでは、ＡＴ遊技の残り遊技数の加算が決定したタイミングでＡＴ遊技の残り遊技数が１５０に更新されることとなる。ここでは、説明の便宜上、上乗せ抽選によりＡＴ遊技の残り遊技数が１５０に更新される例を挙げて説明したが、例えば、ＡＴ遊技を１遊技消化したことに基づき、ＡＴ遊技の残り遊技数を単にカウントダウンする（５０を４９に減算する）処理等、様々な進行情報に基づいて、演出画像の一部が更新される。
【０１１０】
かかる構成では、情報遊技データの受信を契機に、ＡＴ遊技の残り遊技数が加算された後の進行情報が即座に反映されるので、違和感を伴うことなく、遊技者に意図した演出効果を与えることが可能となる。
【０１１１】
また、本実施形態では、演出決定手段３３４が情報遊技データを生成すると、データ送信手段３３６が、即座に、当該情報遊技データをデバイス制御手段２０２ｅに送信しているので、デバイス制御手段２０２ｅでは、情報遊技データによって更新される進行情報を予め把握することが可能となり、その進行情報に基づいて演出態様を変更することもできる。
【０１１２】
（他の例）
また、上述した実施形態では、情報遊技データ処理手段３５２が、データ受信手段３５０が受信した情報遊技データを一旦登録用記憶手段２０２ｇに保持させ、その保持された情報遊技データに関連付けられた更新情報に基づき、情報遊技データを登録用記憶手段２０２ｇから描画用記憶手段２０２ｈに複製するタイミングを判断しているが、異なる処理でも同様の効果を得ることができる。例えば、情報遊技データ処理手段３５２は、データ受信手段３５０が受信した情報遊技データを直接参照し、情報遊技データに関連付けられた更新情報に基づき、例えば、更新情報が即座の更新を示していれば、情報遊技データを、直接、描画用記憶手段２０２ｈに保持させ、更新情報が、任意の画像遊技データの受信タイミングを示していれば、はじめて、情報遊技データを登録用記憶手段２０２ｇに保持させ、任意の遊技データが受信されたタイミングで、情報遊技データを登録用記憶手段２０２ｇから描画用記憶手段２０２ｈに複製するとしてもよい。
【０１１３】
かかる構成により、更新情報が示す更新タイミングが即座である場合において、情報遊技データを登録用記憶手段２０２ｇに記憶する手間を省くことができるので、処理負荷を軽減するとともに処理時間を短縮することが可能となる。
【０１１４】
以下、主制御基板２００および副制御基板２０２における具体的処理を説明する。
【０１１５】
（主制御基板２００のメイン処理）
図１５は、主制御基板２００のメイン処理を示したフローチャートである。ここでは、まず、主制御基板２００のメイン処理に沿って、初期化後の１遊技の概略を説明し、その後、各処理の詳細について説明する。
【０１１６】
（ステップＳ１００）
スロットマシン１００の電源が投入され、通電状態になると、初期化手段３００は、遊技開始に備え初期化処理を実行する。初期化手段３００は、電源が投入されている間、随時バックアップデータを生成し、そのバックアップデータをメインＲＡＭ２００ｃに保持している。したがって、不意の電断が生じたとしても、この初期化処理において、保持されたバックアップデータを用い電断前の状態に復帰させることができる。例えば、回転リールの回転中に不意の電断が起きたとしても、復帰動作後に再度各回転リール１３４ａ、１３４ｂ、１３４ｃが回転している状態から開始される。したがって、初期化処理では、基本的にメインＲＡＭ２００ｃの初期化（ＲＡＭクリア）は行われない。
【０１１７】
（ステップＳ２００）
続いて、ベット手段３０２は、メダル投入部１２４から規定投入数のメダルの投入を受け付け、あるいは、規定投入数以上のクレジットが貯留されている状況でベットボタン１２６の操作を受け付けて、メダルのベットを完了させ、スタートスイッチ１２８に対する遊技開始操作を有効化し、スタートスイッチ１２８の操作待ち状態に移行する。また、コマンド決定手段３１２は、その操作がなされたことを示す投入コマンドを生成し、コマンド送信手段３１４は、生成された投入コマンドを副制御基板２０２に送信する。そして、スタートスイッチ１２８の操作が検知されると、次のステップＳ３００に処理が移される。
【０１１８】
（ステップＳ３００）
次に、当選役抽選手段３０４は、スタートスイッチ１２８の操作に応じて、乱数発生手段２００ｄによって更新された当選役抽選乱数から、スタートスイッチ１２８が操作された時点における１の当選役抽選乱数を取得する。そして、当選役抽選手段３０４は、複数の当選役抽選テーブルから、現在設定されている遊技状態に対応する１の当選役抽選テーブルを決定するとともに、取得した当選役抽選乱数が、決定した当選役抽選テーブルにおけるいずれの当選領域に対応するか判定し、判定された当選領域の当選役またはハズレを抽選結果として決定する。また、コマンド決定手段３１２は、スタートスイッチ１２８の操作に応じて抽選結果が決定された後、当選役抽選の抽選結果（当選役またはハズレ）や遊技状態に関する情報等を含む当選役コマンドを生成し、コマンド送信手段３１４は、生成された当選役コマンドを副制御基板２０２に送信する。
【０１１９】
（ステップＳ４００）
上記のようにして抽選処理が終了すると、次に、リール制御手段３０６は、ステッピングモータ２６２を駆動して左リール１３４ａ、中リール１３４ｂ、右リール１３４ｃを回転させる。このリール回転処理においては、前回の１遊技における左リール１３４ａ、中リール１３４ｂ、右リール１３４ｃの回転開始時点から所定の時間（例えば４．１秒）が経過すると（ウェイト）、当該遊技における左リール１３４ａ、中リール１３４ｂ、右リール１３４ｃの回転を開始し、左リール１３４ａ、中リール１３４ｂ、右リール１３４ｃの全てが定速回転となったところで、ストップボタンスイッチ１３０ａ、１３０ｂ、１３０ｃの操作を有効化する。
【０１２０】
（ステップＳ５００）
続いて、リール制御手段３０６は、ストップボタンスイッチ１３０ａ、１３０ｂ、１３０ｃが有効化されている状態で、遊技者によるストップボタンスイッチ１３０ａ、１３０ｂ、１３０ｃの操作を受け付けると、その操作に対応する回転リール（左リール１３４ａ、中リール１３４ｂ、右リール１３４ｃのいずれか）を所定の停止制御に従って停止させる。また、コマンド決定手段３１２は、ストップボタンスイッチ１３０ａ、１３０ｂ、１３０ｃのいずれかの操作がなされると、操作がなされたストップボタンスイッチ１３０ａ、１３０ｂ、１３０ｃの情報を示す停止コマンド（第１停止コマンド、第２停止コマンド、第３停止コマンド）を操作の度に生成し、コマンド送信手段３１４は、生成された停止コマンドを順次、副制御基板２０２に送信する。
【０１２１】
（ステップＳ６００）
次に、判定手段３０８は、図５（ａ）に示した有効ラインＡ上に表示された図柄組み合わせが、図５（ｂ）に示した、予め定められたどの組み合わせに相当するかを判定し、その図柄組み合わせに応じて、メダルの払出枚数の決定処理、遊技状態の変更処理、および、リプレイに際して要求される種々の処理を実行する。ここで、判定手段３０８は、当選役抽選で決定された当選役に対応する図柄組み合わせが有効ラインＡ上に表示されたことに基づいて、遊技者の有利度合いを異にする複数の遊技状態のうち１の遊技状態、例えば、ボーナス遊技状態に遷移する。また、コマンド決定手段３１２は、有効ラインＡ上に表示された図柄組み合わせや、有効ラインＡ上に小役に対応する図柄組み合わせが表示された場合におけるメダルの払出枚数等を含む入賞コマンドを生成し、コマンド送信手段３１４は、生成された入賞コマンドを副制御基板２０２に送信する。
【０１２２】
（ステップＳ７００）
続いて、払出制御手段３１０は、ステップＳ６００における判定結果に基づき、例えば、有効ラインＡ上に小役に対応する図柄組み合わせが表示されると、当該小役に対応するメダルの払出処理を実行し、有効ラインＡ上にリプレイ役に対応する図柄組み合わせが表示されると、自動的に次遊技のベットを行うための処理を実行する。このように、払出制御手段３１０は、有効ラインＡ上に表示された図柄組み合わせに対応して種々の処理を遂行し、当該１遊技を終了する。また、コマンド決定手段３１２は、メダルの払出処理がなされた場合、払出処理がなされたことを示す払出コマンドを生成し、コマンド送信手段３１４は、生成された払出コマンドを副制御基板２０２に送信する。
【０１２３】
ステップＳ２００からステップＳ７００に示したように、メダルのベットを通じて遊技を開始可能な状態となり、スタートスイッチ１２８の操作から入賞による払い出しまでの一連の処理を通じて１遊技が実行される。以後は、ステップＳ２００からステップＳ７００までを繰り返すこととなる。
【０１２４】
（副制御基板２０２のメイン処理）
図１６は、副制御基板２０２のメイン処理を示したフローチャートである。
【０１２５】
（ステップＳ１１００）
電源スイッチを介してスロットマシン１００の電源が投入され、通電状態になると、副制御基板２０２の初期化決定手段３３０は、主制御基板２００の初期化手段３００同様、初期化処理を実行し、割込を許可する。初期化決定手段３３０は、電源が投入されている間、随時バックアップデータを生成し、そのバックアップデータをサブＲＡＭ２０２ｃに保持している。
【０１２６】
（ステップＳ１２００）
コマンド受信手段３３２は、主制御基板２００からのコマンドが受信されたか否か判定し、コマンドが受信されない間、ステップＳ１２００の処理を繰り返すことでコマンド待機状態を維持する。そして、コマンドが受信されたと判定した場合、コマンド受信手段３３２は、処理をステップＳ１３００に移行する。
【０１２７】
（ステップＳ１３００）
上記ステップＳ１２００においてコマンドが受信されていると判定されれば、コマンド受信手段３３２は、当該受信されたコマンドに基づいて種々の処理を実行する。当該コマンド受信処理Ｓ１３００は図１７を用いて詳述する。以後は、ステップＳ１２００からステップＳ１３００までを繰り返すこととなる。
【０１２８】
（コマンド受信処理Ｓ１３００の詳細な処理）
図１７は、上記ステップＳ１３００のコマンド受信処理を示したフローチャートである。ここでは本実施形態の特徴に関係する処理についてのみ詳細に説明し、本実施形態の特徴と無関係の構成については説明を省略する。
【０１２９】
（ステップＳ１３０１）
まず、コマンド受信手段３３２は、受信したコマンドが投入コマンドであるか否か判定する。その結果、受信したコマンドが投入コマンドであれば、ステップＳ１３０２に処理を移し、投入コマンドでなければ、ステップＳ１３０５に処理を移す。なお、この投入コマンドは、上記したとおり、図１５のベット処理Ｓ２００で送信されるコマンドであり、ベット手段３０２の操作がなされたことを示す情報が付加されている。
【０１３０】
（ステップＳ１３０２）
上記ステップＳ１３０１において受信したコマンドが投入コマンドであると判定されれば、演出決定手段３３４は、投入コマンドに基づいて前回までの遊技で実行されていた演出パターンをキャンセルする。また、前回の遊技における後述するステップＳ１３０６において決定されたステージが現在実行されている演出のステージと異なる場合、新たなステージの演出パターンを決定し、演出パターンを特定する遊技データ（画像遊技データ）を決定する。
【０１３１】
（ステップＳ１３０３）
次に、演出決定手段３３４は、遊技データの種別に応じて更新情報を関連付け、データ送信手段３３６は、その遊技データをデバイス制御手段２０２ｅに送信する。当該更新情報関連付け処理Ｓ１３０３は図１８を用いて詳述する。
【０１３２】
（ステップＳ１３０４）
次に、データ受信手段３５０は、データ送信手段３３６が送信した遊技データを受信し、演出実行手段３５４は、受信した遊技データに基づいて演出を実行する。当該演出実行処理Ｓ１３０４は図１９を用いて詳述する。
【０１３３】
（ステップＳ１３０５）
次に、コマンド受信手段３３２は、受信したコマンドが当選役コマンドであるか否か判定する。その結果、受信したコマンドが当選役コマンドであれば、ステップＳ１３０６に処理を移し、当選役コマンドでなければ、ステップＳ１３０７に処理を移す。なお、この当選役コマンドは、上記したとおり、図１５の抽選処理Ｓ３００で送信されるコマンドであり、いずれかの当選役に当選した場合には、その当選役の種別を示す情報が付加されており、いずれの当選役にも当選しなかった場合にはハズレを示す情報が付加されている。
【０１３４】
（ステップＳ１３０６）
上記ステップＳ１３０５において受信したコマンドが当選役コマンドであると判定されれば、演出決定手段３３４は、遊技者に提供する演出パターンを決定し、演出パターンを特定する遊技データ（画像遊技データ）を決定する。また、特定遊技決定手段３３８は、当選役コマンドに示される主制御基板２００が管理する遊技状態がボーナス成立遊技状態であることを条件に、当選役コマンドに示される当選役および副制御基板２０２が管理する遊技状態に基づき、ＡＴ遊技に当選しているか否か判定する。ここで、通常遊技状態において、ＡＴ遊技に当選していれば、ＡＴ遊技が開始され、ＡＴ遊技状態においてＡＴ遊技に当選していれば、ＡＴ遊技の残り遊技数に所定の遊技数が加算される（上乗せ）。また、このような進行情報に基づいて遊技データ（情報遊技データ）が生成される。そして、更新情報関連付け処理Ｓ１３０３および演出実行処理Ｓ１３０４を実行後、ステップＳ１３０７に処理を移す。
【０１３５】
（ステップＳ１３０７）
続いて、コマンド受信手段３３２は、受信したコマンドが第１〜第３停止コマンドのいずれかであるか否か判定する。その結果、受信したコマンドが第１〜第３停止コマンドのいずれかであれば、ステップＳ１３０８に処理を移し、第１〜第３停止コマンドのいずれでもなければ、ステップＳ１３０９に処理を移す。なお、この第１〜第３停止コマンドは、上記したとおり、図１５のリール停止処理Ｓ５００で送信されるコマンドであり、ストップボタンスイッチ１３０ａ、１３０ｂ、１３０ｃのいずれかの操作がなされたことを示す情報が付加されている。
【０１３６】
（ステップＳ１３０８）
上記ステップＳ１３０７において受信したコマンドが第１〜第３停止コマンドのいずれかであると判定されれば、演出決定手段３３４は、上記ステップＳ１３０６で決定され、かつ、サブＲＡＭ２０２ｃに維持されている演出パターンのうち、受信したコマンドに基づいて１の演出パターンを読み出し、演出パターンを特定する遊技データ（画像遊技データ）を決定する。そして、更新情報関連付け処理Ｓ１３０３および演出実行処理Ｓ１３０４を実行後、ステップＳ１３０９に処理を移す。
【０１３７】
（ステップＳ１３０９）
次に、コマンド受信手段３３２は、受信したコマンドが入賞コマンドであるか否か判定する。その結果、受信したコマンドが入賞コマンドであれば、ステップＳ１３１０に処理を移し、入賞コマンドでなければ、ステップＳ１３１１に処理を移す。なお、この入賞コマンドは、上記したとおり、図１５の判定処理Ｓ６００で送信されるコマンドであり、有効ラインＡ上に表示された図柄組み合わせや、有効ラインＡ上に小役に対応する図柄組み合わせが表示された場合におけるメダルの払出枚数等を示す情報が付加されている。
【０１３８】
（ステップＳ１３１０）
上記ステップＳ１３０９において受信したコマンドが入賞コマンドであると判定されれば、演出決定手段３３４は、入賞コマンドに基づいて、例えば、小役の入賞を示す入賞コマンドを受信した場合、小役に入賞したことを示す演出パターンを決定し、演出パターンを特定する遊技データ（画像遊技データ）を決定する。また、リプレイ役の入賞を示す入賞コマンドを受信した場合、リプレイ役に入賞したことおよび再度１遊技を実行できることを示す演出パターンを決定し、演出パターンを特定する遊技データを決定する。また、ボーナス役の入賞を示す入賞コマンドを受信した場合、ボーナス役に入賞したことおよびボーナス遊技状態に移行することを示す演出パターンを決定し、演出パターンを特定する遊技データを決定する。また、副制御基板２０２が管理する遊技状態がＡＴ遊技状態であれば、特定遊技決定手段３３８は、ＡＴ遊技の残り遊技数をデクリメントし、デクリメント後の残り遊技数が０となると、ＡＴ遊技を終了する。そして、更新情報関連付け処理Ｓ１３０３および演出実行処理Ｓ１３０４を実行後、ステップＳ１３１１に処理を移す。
【０１３９】
（ステップＳ１３１１）
続いて、コマンド受信手段３３２は、受信したコマンドが払出コマンドであるか否か判定する。その結果、受信したコマンドが払出コマンドであれば、ステップＳ１３１２に処理を移し、払出コマンドでなければ、ステップＳ１３１３に処理を移す。なお、この払出コマンドは、上記したとおり、図１５の払出処理Ｓ７００で送信されるコマンドであり、払出処理がなされたことを示す情報が付加されている。
【０１４０】
（ステップＳ１３１２）
上記ステップＳ１３１１において受信したコマンドが払出コマンドであると判定されれば、演出決定手段３３４は、払出コマンドに基づいて、例えば、メダルの獲得枚数が増えていることを示す演出パターンを決定し、演出パターンを特定する遊技データ（画像遊技データ）を決定する。そして、更新情報関連付け処理Ｓ１３０３および演出実行処理Ｓ１３０４を実行後、ステップＳ１３１３に処理を移す。
【０１４１】
（ステップＳ１３１３）
次に、コマンド受信手段３３２は、受信したコマンド（例えば、投入コマンド、当選役コマンド、第１〜第３停止コマンド、入賞コマンド、払出コマンド等）に対する他の種々の処理を遂行して、当該コマンド受信処理Ｓ１３００を終了する。かかる処理に関しては、本実施形態の特徴と無関係なので、ここでは説明を省略する。
【０１４２】
図１８は、上記ステップＳ１３０３の更新情報関連付け処理を示したフローチャートである。
【０１４３】
（ステップＳ１３０３−１）
まず、演出決定手段３３４は、自己が生成した遊技データが情報遊技データであるか否か判定する。その結果、情報遊技データであれば、ステップＳ１３０３−２に処理を移し、情報遊技データでなければ、ステップＳ１３０３−４に処理を移す。
【０１４４】
（ステップＳ１３０３−２）
上記ステップＳ１３０３−１において、遊技データが情報遊技データであると判定されると、演出決定手段３３４は、かかる情報遊技データに基づく進行情報を更新するタイミングを決定する。
【０１４５】
（ステップＳ１３０３−３）
続いて、演出決定手段３３４は、決定した更新タイミングを示す更新情報を情報遊技データに関連付ける。
【０１４６】
（ステップＳ１３０３−４）
次に、データ送信手段３３６は、決定した遊技データをデバイス制御手段２０２ｅに送信して、当該更新情報関連付け処理Ｓ１３０３を終了する。
【０１４７】
図１９は、上記ステップＳ１３０４の演出実行処理を示したフローチャートである。
【０１４８】
（ステップＳ１３０４−１）
まず、データ受信手段３５０が遊技データを受信すると、情報遊技データ処理手段３５２は、受信した遊技データが情報遊技データであるか否か判定する。その結果、情報遊技データであれば、ステップＳ１３０４−２に処理を移し、情報遊技データでなければ、ステップＳ１３０４−５に処理を移す。
【０１４９】
（ステップＳ１３０４−２）
上記ステップＳ１３０４−１において、データ受信手段３５０が受信した遊技データが情報遊技データであると判定されれば、情報遊技データ処理手段３５２は、かかる情報遊技データを一旦登録用記憶手段２０２ｇに保持させる。
【０１５０】
（ステップＳ１３０４−３）
続いて、情報遊技データ処理手段３５２は、登録用記憶手段２０２ｇに保持された情報遊技データに関連付けられた更新情報を参照し、更新情報が即座の更新を示しているか否か判定する。その結果、即座の更新を示していれば、ステップＳ１３０４−４に処理を移し、即座の更新を示していなければ、すなわち、任意の遊技データの受信タイミングを示していれば、ステップＳ１３０４−５に処理を移す。
【０１５１】
（ステップＳ１３０４−４）
上記ステップＳ１３０４−３において、更新情報が即座の更新を示していると判定されれば、情報遊技データ処理手段３５２は、情報遊技データを登録用記憶手段２０２ｇから描画用記憶手段２０２ｈに即座に複製する。
【０１５２】
（ステップＳ１３０４−５）
続いて、情報遊技データ処理手段３５２は、更新情報が即座の更新を示していない、すなわち、任意の遊技データの受信タイミングを示しており、かつ、遊技データが、当該任意の遊技データであるか否か判定する。その結果、更新情報が即座の更新を示しておらず、かつ、遊技データが、更新情報が示す任意の遊技データであれば、ステップＳ１３０４−６に処理を移し、更新情報が即座の更新を示している、または、遊技データが任意の遊技データでなければ、ステップＳ１３０４−７に処理を移す。
【０１５３】
（ステップＳ１３０４−６）
上記ステップＳ１３０４−５において、更新情報が即座の更新を示しておらず、かつ、遊技データが、更新情報が示す任意の遊技データであると判定されれば、情報遊技データ処理手段３５２は、情報遊技データを登録用記憶手段２０２ｇから描画用記憶手段２０２ｈに複製する。
【０１５４】
（ステップＳ１３０４−７）
データ受信手段３５０が、遊技データを受信すると、演出実行手段３５４は、受信した画像遊技データに関連付けられた、画像データ、電飾データ、および、音声データの群から選択される１または複数のデータを読み出す。
【０１５５】
（ステップＳ１３０４−８）
次に、演出実行手段３５４は、読み出したデータ中に画像データが含まれているか否か判定する。その結果、画像データが含まれていれば、ステップＳ１３０４−９に処理を移し、画像データが含まれていなければ、ステップＳ１３０４−１１に処理を移す。
【０１５６】
（ステップＳ１３０４−９）
上記ステップＳ１３０４−８において、読み出したデータ中に画像データが含まれていると判定した場合、演出実行手段３５４は、当該画像データに基づく演出画像の一部を、描画用記憶手段２０２ｈに保持された情報遊技データに含まれる進行情報に基づいて更新する。
【０１５７】
（ステップＳ１３０４−１０）
続いて、演出実行手段３５４は、その画像データを液晶表示部１３８に送信する。すると、その画像データに基づく演出画像が液晶表示部１３８に表示される。
【０１５８】
（ステップＳ１３０４−１１）
続いて、演出実行手段３５４は、読み出したデータ中に電飾データが含まれているか否か判定する。その結果、電飾データが含まれていれば、ステップＳ１３０４−１２に処理を移し、電飾データが含まれていなければ、ステップＳ１３０４−１３に処理を移す。
【０１５９】
（ステップＳ１３０４−１２）
上記ステップＳ１３０４−１１において、読み出したデータ中に電飾データが含まれていると判定した場合、演出実行手段３５４は、その電飾データに基づいて電飾機器を発光させる。
【０１６０】
（ステップＳ１３０４−１３）
次に、演出実行手段３５４は、読み出したデータ中に音声データが含まれているか否か判定する。その結果、音声データが含まれていれば、ステップＳ１３０４−１４に処理を移し、音声データが含まれていなければ、当該演出実行処理Ｓ１３０４を終了する。
【０１６１】
（ステップＳ１３０４−１４）
上記ステップＳ１３０４−１３において、読み出したデータ中に音声データが含まれていると判定した場合、演出実行手段３５４は、スピーカ１４０に音声データを送信し、音声データに基づく音声を出力して、当該演出実行処理Ｓ１３０４を終了する。
【０１６２】
以上説明したスロットマシン１００の構成によれば、任意の遊技データの受信を契機に、進行情報が反映された画像を液晶表示部１３８に表示することができるので、抽選結果を報知する画像による演出効果が低減されることなく、画像を伴う違和感のない演出によって演出効果を高めることが可能となる。
【０１６３】
以上、添付図面を参照しながら本発明の好適な実施形態について説明したが、本発明はかかる実施形態に限定されないことはいうまでもない。当業者であれば、特許請求の範囲に記載された範疇において、各種の変更例または修正例に想到し得ることは明らかであり、それらについても当然に本発明の技術的範囲に属するものと了解される。
【０１６４】
例えば、上述した実施形態では、進行情報としてＡＴ遊技の残り遊技数やＡＴ経過遊技数を挙げて説明したが、かかる場合に限らず、進行情報として、１遊技におけるメダルの払い出し枚数、所定の遊技状態（例えばＡＴ遊技やボーナス遊技）におけるメダルの払い出し枚数の累計である累計払い出し枚数、その日の経過した遊技数である総経過遊技数、前回の特定遊技（ＡＴ遊技）が終了してから経過した遊技数である特定遊技間経過遊技数、ＡＴ遊技において経過した遊技数であるＡＴ経過遊技数、ＡＴ遊技の残り遊技数を追加（上乗せ）した場合の上乗せ遊技数、ＡＴ遊技において経過したセット数であるＡＴ経過セット数、ＡＴ遊技の残りセット数、ＡＴ遊技の残りセット数を追加（上乗せ）した場合の上乗せセット数、ＡＴ遊技におけるメダルの払い出し枚数の累計であるＡＴ累計払い出し枚数等の遊技の進行に応じて変化する計数値を採用することができる。
【０１６５】
また、上述した実施形態では、登録用記憶手段２０２ｇや描画用記憶手段２０２ｈにおいて情報遊技データを保持する例を挙げて説明したが、かかる場合に限らず、情報遊技データに含まれる進行情報を予め抽出し、情報遊技データに加え、または、代えて進行情報を保持するとしてもよい。
【０１６６】
また、上述した実施形態では、情報遊技データが生成されるタイミングを、スタートスイッチ１２８の操作時とし、任意の遊技データ（画像遊技データ）が生成されるタイミングを、ベットボタン１２６によるキャンセル操作時としたが、遊技データを生成するタイミングは上記の場合に限らず、ストップボタンスイッチ１３０ａ、ストップボタンスイッチ１３０ｂ、または、ストップボタンスイッチ１３０ｃの操作時等、様々な操作契機を対象とすることができる。
【０１６７】
例えば、上述した実施形態では、情報遊技データに更新情報が関連付けられている例を挙げているが、必ずしも関連付けられていなくてもよい。その場合、情報遊技データ処理手段は、予め定められた画像遊技データ、例えば、ベットボタンを通じたキャンセル操作に応じて情報遊技データを登録用記憶手段２０２ｇから描画用記憶手段２０２ｈに複製することができる。
【０１６８】
また、上述した実施形態では、任意の遊技データとして画像遊技データを挙げて説明したが、演出決定手段３３４によって生成される遊技データであれば、いずれの遊技データでも任意の遊技データとして採用することができる。
【０１６９】
また、上述した主制御基板２００および副制御基板２０２が行う各処理は、必ずしもフローチャートとして記載された順序に沿って時系列に処理する必要はなく、並列的あるいはサブルーチンによる処理を含んでもよい。
【符号の説明】
【０１７０】
１００  …スロットマシン（遊技機）
１３８  …液晶表示部（表示手段）
１５６  …サブクレジット表示部（表示手段）
１５８  …サブ払出表示部（表示手段）
２０２ｇ  …登録用記憶手段
２０２ｈ  …描画用記憶手段
３３４  …演出決定手段
３３６  …データ送信手段
３３８  …特定遊技決定手段
３５０  …データ受信手段
３５２  …情報遊技データ処理手段
３５４  …演出実行手段
【図１】
0006019345.tif 000002
【図２】
0006019345.tif 000003
【図３】
0006019345.tif 000004
【図４】
0006019345.tif 000005
【図５】
0006019345.tif 000006
【図６】
0006019345.tif 000007
【図７】
0006019345.tif 000008
【図８】
0006019345.tif 000009
【図９】
0006019345.tif 000010
【図１０】
0006019345.tif 000011
【図１１】
0006019345.tif 000012
【図１２】
0006019345.tif 000013
【図１３】
0006019345.tif 000014
【図１４】
0006019345.tif 000015
【図１５】
0006019345.tif 000016
【図１６】
0006019345.tif 000017
【図１７】
0006019345.tif 000018
【図１８】
0006019345.tif 000019
【図１９】
0006019345.tif 000020